(57)【要約】本発明は、第一基地局、少なくとも二つの第二基地局およびユーザー装置UEを含む通信システムに適用されるセル・ハンドオーバー方法、基地局および制御ノードを開示する。少なくとも二つの第二セルは少なくとも二つのセル・グローバル識別情報CGIと一対一対応にある。本方法は：前記第一基地局によって、前記UEによって送られたハンドオーバー要求を受信する段階であって、前記ハンドオーバー要求は前記UEが前記少なくとも二つの第二セルのうちの目標第二セルにハンドオーバーされることを要求することを示すために使われ、前記ハンドオーバー要求は前記目標第二セルの物理セル識別子PCIを担持する、段階と；前記第一基地局によって、前記PCIが複数の第二セルに対応していることを判別する段階と；前記第一基地局によって、前記少なくとも二つの第二基地局のうちの前記目標第二セルに対応する目標第二基地局によって送られた前記UEの位置情報を受信する段階であって、前記位置情報は前記目標第二基地局によって、構成情報に基づいて取得される、段階と；前記第一基地局によって、前記位置情報に基づいて前記複数の第二セルのうちから前記目標第二セルを判別する段階とを含む。
2019519985.tif 000002
【特許請求の範囲】
【請求項１】
第一基地局、少なくとも二つの第二基地局およびユーザー装置UEを含む通信システムに適用されるセル・ハンドオーバー方法であって、前記第一基地局は第一セルに対応し、前記第一セルは前記UEのサービスするセルであり、前記少なくとも二つの第二基地局は少なくとも二つの第二セルに対応し、前記少なくとも二つの第二セルは前記第一セルの近傍セルであり、前記少なくとも二つの第二セルは少なくとも二つのセル・グローバル識別情報CGIと一対一対応にあり、各CGIは前記通信システムにおいて対応する第二セルを一意的に識別するために使われ、各第二基地局は構成情報を記憶しており、前記構成情報は、前記UEが前記第一基地局に測量参照信号SRSを送るときに使われる時間‐周波数資源を示すために使われ、当該方法は：
前記第一基地局によって、前記UEによって送られたハンドオーバー要求を受信する段階であって、前記ハンドオーバー要求は前記UEが前記少なくとも二つの第二セルのうちの目標第二セルにハンドオーバーされることを要求することを示すために使われ、前記ハンドオーバー要求は前記目標第二セルの物理セル識別子PCIを担持する、段階と；
前記第一基地局によって、前記PCIが複数の第二セルに対応していることを判別する段階と；
前記第一基地局によって、前記少なくとも二つの第二基地局のうちの前記目標第二セルに対応する目標第二基地局によって送られた前記UEの位置情報を受信する段階であって、前記位置情報は前記目標第二基地局によって、前記構成情報に基づいて取得される、段階と；
前記第一基地局によって、前記位置情報に基づいて前記複数の第二セルのうちから前記目標第二セルを判別する段階とを含む、
方法。
【請求項２】
前記位置情報は前記目標第二セルのCGIを担持し、
前記第一基地局によって、前記位置情報に基づいて前記複数の第二セルのうちから前記目標第二セルを判別する前記段階は：
前記第一基地局によって、前記CGIに基づいて前記複数の第二セルのうちから前記目標第二セルを判別することを含む、
請求項１記載の方法。
【請求項３】
前記第一基地局によって、前記少なくとも二つの第二基地局のうちの前記目標第二セルに対応する目標第二基地局によって送られた前記UEの位置情報を受信する前記段階の前に、当該方法は：
前記第一基地局によって、前記目標第二基地局に構成情報を送ることを含み、それにより前記目標第二基地局は該構成情報に基づいて前記UEの前記位置情報を取得し、該位置情報を前記第一基地局に送ることを含む、
請求項１または２記載の方法。
【請求項４】
第一基地局、少なくとも二つの第二基地局およびユーザー装置UEを含む通信システムに適用されるセル・ハンドオーバー方法であって、前記第一基地局は第一セルに対応し、前記第一セルは前記UEのサービスするセルであり、前記少なくとも二つの第二基地局は少なくとも二つの第二セルに対応し、前記少なくとも二つの第二セルは前記第一セルの近傍セルであり、前記少なくとも二つの第二セルは少なくとも二つのセル・グローバル識別情報CGIと一対一対応にあり、各CGIは前記通信システムにおいて対応する第二セルを一意的に識別するために使われ、各第二基地局は構成情報を記憶しており、前記構成情報は、前記UEが前記第一基地局に測量参照信号SRSを送るときに使われる時間‐周波数資源を示すために使われ、当該方法は：
前記少なくとも二つの第二基地局のうちの目標第二基地局によって、前記構成情報に基づいて前記UEの位置情報を取得する段階と；
前記目標第二基地局によって、前記位置情報を前記第一基地局に送る段階であって、前記UEによって送られたハンドオーバー要求を受信後に前記第一基地局は、前記ハンドオーバー要求において担持される目標第二セルの物理セル識別子PCIに対応する複数の第二セルから、前記位置情報に基づいて、前記UEがハンドオーバーされる必要のある前記目標第二セルを判別する、段階とを含み、
前記目標第二セルは前記少なくとも二つの第二基地局のうちの、前記目標第二セルに対応する基地局である、
方法。
【請求項５】
前記位置情報は前記目標第二セルのCGIを担持し、前記第一基地局は、前記CGIに基づいて前記PCIに対応する前記複数の第二セルのうちから前記目標第二セルを判別する、請求項４記載の方法。
【請求項６】
前記少なくとも二つの第二基地局のうちの目標第二基地局によって、前記UEの位置情報を取得する前記段階の前に、当該方法はさらに：
前記目標第二基地局によって、前記第一基地局によって送られた構成情報を受信する段階を含み；
目標第二基地局によって、前記構成情報に基づいて前記UEの位置情報を取得する前記段階は：
前記目標第二基地局によって、前記構成情報によって示される時間‐周波数資源上でSRS信号検出を実行し；
前記目標第二基地局が前記時間‐周波数資源上でSRS信号を検出するときに、前記目標第二基地局によって前記UEの前記位置情報を取得することを含む、
請求項４または５記載の方法。
【請求項７】
制御ノード、第一基地局、少なくとも二つの第二基地局およびユーザー装置UEを含む通信システムに適用されるセル・ハンドオーバー方法であって、前記第一基地局は第一セルに対応し、前記第一セルは前記UEのサービスするセルであり、前記少なくとも二つの第二基地局は少なくとも二つの第二セルに対応し、前記少なくとも二つの第二セルは前記第一セルの近傍セルであり、前記少なくとも二つの第二セルは少なくとも二つのセル・グローバル識別情報CGIと一対一対応にあり、各CGIは前記通信システムにおいて対応する第二セルを一意的に識別するために使われ、各第二基地局は構成情報を記憶しており、前記構成情報は、前記UEが前記第一基地局に測量参照信号SRSを送るときに使われる時間‐周波数資源を示すために使われ、当該方法は：
前記制御ノードによってハンドオーバー要求を取得する段階であって、前記ハンドオーバー要求は、前記UEが前記少なくとも二つの第二セルのうちの目標第二セルにハンドオーバーされることを要求することを示すために使われ、前記ハンドオーバー要求は前記目標第二セルの物理セル識別子PCIを担持する、段階と；
前記制御ノードによって、前記PCIが複数の第二セルに対応していることを判別する段階と；
前記制御ノードによって、前記UEの位置情報を取得する段階と；
前記制御ノードによって、前記複数の第二セルのうちから前記目標第二セルを、前記位置情報に基づいて判別する段階とを含む、
方法。
【請求項８】
前記位置情報は前記目標第二セルのCGIを担持し、
前記制御ノードによって、前記複数の第二セルのうちから前記目標第二セルを、前記位置情報に基づいて判別する前記段階は：
前記制御ノードによって、前記複数の第二セルのうちから前記目標第二セルを、前記CGIに基づいて判別することを含む、
請求項７記載の方法。
【請求項９】
少なくとも二つの第二基地局およびユーザー装置UEを含む通信システムにおいて構成される基地局であって、当該基地局は第一セルに対応し、前記第一セルは前記UEのサービスするセルであり、前記少なくとも二つの第二基地局は少なくとも二つの第二セルに対応し、前記少なくとも二つの第二セルは前記第一セルの近傍セルであり、前記少なくとも二つの第二セルは少なくとも二つのセル・グローバル識別情報CGIと一対一対応にあり、各CGIは前記通信システムにおいて対応する第二セルを一意的に識別するために使われ、各第二基地局は構成情報を記憶しており、前記構成情報は、前記UEが当該基地局に測量参照信号SRSを送るときに使われる時間‐周波数資源を示すために使われ、当該基地局は：
前記UEによって送られたハンドオーバー要求を受信するよう構成された受信ユニットであって、前記ハンドオーバー要求は前記UEが前記少なくとも二つの第二セルのうちの目標第二セルにハンドオーバーされることを要求することを示すために使われ、前記ハンドオーバー要求は前記目標第二セルの物理セル識別子PCIを担持する、受信ユニットと；
前記PCIが複数の第二セルに対応していることを判別するよう構成された処理ユニットとを有しており、
前記受信ユニットはさらに、前記少なくとも二つの第二基地局のうちの前記目標第二セルに対応する目標第二基地局によって送られた前記UEの位置情報を受信するよう構成されており、前記位置情報は前記目標第二基地局によって、前記構成情報に基づいて取得され；
前記処理ユニットはさらに、前記位置情報に基づいて前記複数の第二セルのうちから前記目標第二セルを判別するよう構成されている、
基地局。
【請求項１０】
前記位置情報は前記目標第二セルのCGIを担持し、
前記処理ユニットは具体的には、前記目標第二セルの前記CGIに基づいて前記複数の第二セルのうちから前記目標第二セルを判別するよう構成されている、
請求項９記載の基地局。
【請求項１１】
当該基地局がさらに：
前記受信ユニットが、前記少なくとも二つの第二基地局のうちの前記目標第二セルに対応する前記目標第二基地局によって送られた前記UEの前記位置情報を受信する前に、前記目標第二基地局に構成情報を送るように構成されており、それにより前記目標第二基地局は該構成情報に基づいて前記UEの前記位置情報を取得し、該位置情報を当該基地局に送る、送信ユニットを有する、
請求項９または１０記載の基地局。
【請求項１２】
第一基地局、少なくとも二つの第二基地局およびユーザー装置UEを含む通信システムにおいて構成される基地局であって、前記第一基地局は第一セルに対応し、前記第一セルは前記UEのサービスするセルであり、前記少なくとも二つの第二基地局は少なくとも二つの第二セルに対応し、前記少なくとも二つの第二セルは前記第一セルの近傍セルであり、前記少なくとも二つの第二セルは少なくとも二つのセル・グローバル識別情報CGIと一対一対応にあり、各CGIは前記通信システムにおいて対応する第二セルを一意的に識別するために使われ、各基地局は構成情報を記憶しており、前記構成情報は、前記UEが前記第一基地局に測量参照信号SRSを送るときに使われる時間‐周波数資源を示すために使われ、当該基地局は：
前記構成情報に基づいて前記UEの位置情報を取得するよう構成された取得ユニットと；
前記位置情報を前記第一基地局に送るよう構成された送信ユニットであって、前記UEによって送られたハンドオーバー要求を受信後に前記第一基地局は、前記ハンドオーバー要求において担持される目標第二セルの物理セル識別子PCIに対応する複数の第二セルから、前記位置情報に基づいて、前記UEがハンドオーバーされる必要のある前記目標第二セルを判別する、送信ユニットとを有しており、
当該基地局は前記少なくとも二つの第二基地局のうちの、前記目標第二セルに対応する基地局である、
基地局。
【請求項１３】
前記位置情報は前記目標第二セルのCGIを担持し、前記第一基地局は、前記CGIに基づいて前記PCIに対応する前記複数の第二セルのうちから前記目標第二セルを判別する、請求項１２記載の基地局。
【請求項１４】
当該基地局がさらに：
前記取得ユニットが前記位置情報を取得する前に、前記第一基地局によって送られた構成情報を受信するよう構成された受信ユニットを有しており、
前記取得ユニットが具体的には、前記構成情報によって示される時間‐周波数資源上でSRS信号検出を実行するよう構成されており、
前記取得ユニットがさらに、前記時間‐周波数資源上でSRS信号が検出されるときに、前記UEの前記位置情報を取得するよう構成されている、
請求項１２または１３記載の基地局。
【請求項１５】
第一基地局、少なくとも二つの第二基地局およびユーザー装置UEを含む通信システムにおいて構成される制御ノードであって、前記第一基地局は第一セルに対応し、前記第一セルは前記UEのサービスするセルであり、前記少なくとも二つの第二基地局は少なくとも二つの第二セルに対応し、前記少なくとも二つの第二セルは前記第一セルの近傍セルであり、前記少なくとも二つの第二セルは少なくとも二つのセル・グローバル識別情報CGIと一対一対応にあり、各CGIは前記通信システムにおいて対応する第二セルを一意的に識別するために使われ、各第二基地局は構成情報を記憶しており、前記構成情報は、前記UEが前記第一基地局に測量参照信号SRSを送るときに使われる時間‐周波数資源を示すために使われ、当該制御ノードは：
ハンドオーバー要求を取得するよう構成された取得ユニットであって、前記ハンドオーバー要求は、前記UEが前記少なくとも二つの第二セルのうちの目標第二セルにハンドオーバーされることを要求することを示すために使われ、前記ハンドオーバー要求は前記目標第二セルの物理セル識別子PCIを担持する、取得ユニットと；
前記PCIが複数の第二セルに対応していることを判別するよう構成された処理ユニットとを有しており、
前記取得ユニットはさらに、前記UEの位置情報を取得するよう構成されており、
前記処理ユニットはさらに、前記複数の第二セルのうちから前記目標第二セルを、前記位置情報に基づいて判別するよう構成されている、
制御ノード。
【請求項１６】
前記位置情報は前記目標第二セルのCGIを担持し、
前記処理ユニットは具体的には、前記複数の第二セルのうちから前記目標第二セルを、前記CGIに基づいて判別するよう構成されている、
請求項１５記載の制御ノード。
【発明の詳細な説明】
【技術分野】
【０００１】
本発明は通信分野に、さらに詳細にはセル・ハンドオーバー方法、基地局および制御ノードに関する。
【背景技術】
【０００２】
ロングタームエボリューション（Long  Term  Evolution、LTE）プロトコルにおいて規定されているように、ユーザー装置（User  Equipment、UE）は、ハンドオーバー・プロセスの間に、目標セルの物理セル識別子（Physical  Cell  Identifier、PCI）を、サービスする基地局（またはソース基地局）に報告する必要がある。サービスする基地局は、UEによって報告される目標セルのPCIに基づいて目標セルを判別し、セル・ハンドオーバーを実施するようハンドオーバー命令を送る。しかしながら、既存のLTEシステムでは、限られたPCI資源がある。LTEシステムは504個のPCIしか提供しない。結果として、実際の応用では、あるセルの異なる近傍セルがPCIを共有することがある、つまりPCIの混乱が起こる。この場合、サービスする基地局がUEによって報告された目標セルのPCIを受信するとき、報告されたPCIが複数の隣接セルに対応していれば、サービスする基地局は、該PCIに基づいてUEのために正しい目標セルを選択することができない。換言すれば、サービスする基地局は、同じPCIをもつ複数の近傍のセルから、UEがハンドオーバーされる必要のある目標セルを正しく選択することができない。
【０００３】
従来技術では、ハンドオーバー・プロセスにおけるUEのPCI混乱問題を解決するために、基地局は、目標セルのセル・グローバル識別情報（Cell  Global  Identifier、CGI）を読むためのUEのためのパラメータを構成する。CGIはセルを一意的に特定できるので、基地局は、目標セルのCGIを取得することにより、同じPCIをもつ諸セルから、UEがハンドオーバーされる必要のある目標セルを正しく選択することができる。
【０００４】
しかしながら、CGIを読むことは、UEが測定レポートを報告した後に、基地局によって、UEについて有効化される必要がある。追加的な信号交換が必要とされるため、セル・ハンドオーバー遅延が増す。
【発明の概要】
【０００５】
本願は、PCI混乱が起きるときに、遅延を増すことなく、目標セルが判別されることができ、セル・ハンドオーバーが実施されることができるよう、セル・ハンドオーバー方法、基地局および制御ノードを提供する。
【０００６】
第一の側面によれば、本願は、第一基地局、少なくとも二つの第二基地局およびユーザー装置UEを含む通信システムに適用されるセル・ハンドオーバー方法であって、前記第一基地局は第一セルに対応し、前記第一セルはUEのサービスするセルであり、前記少なくとも二つの第二基地局は少なくとも二つの第二セルに対応し、前記少なくとも二つの第二セルは前記第一セルの近傍セルであり、前記少なくとも二つの第二セルは少なくとも二つのセル・グローバル識別情報CGIと一対一対応にあり、各CGIは当該通信システムにおいて対応する第二セルを一意的に識別するために使われ、各第二基地局は構成情報を記憶しており、前記構成情報は、UEが前記第一基地局に測量参照信号SRSを送るときに使われる時間‐周波数資源を示すために使われ、当該方法は：前記第一基地局によって、前記UEによって送られたハンドオーバー要求を受信する段階であって、前記ハンドオーバー要求は前記UEが前記少なくとも二つの第二セルのうちの目標第二セルにハンドオーバーされることを要求することを示すために使われ、前記ハンドオーバー要求は前記目標第二セルの物理セル識別子PCIを担持する、段階と；前記第一基地局によって、前記PCIが複数の第二セルに対応していることを判別する段階と；前記第一基地局によって、前記少なくとも二つの第二基地局のうちの前記目標第二セルに対応する目標第二基地局によって送られた前記UEの位置情報を受信する段階であって、前記位置情報は前記目標第二基地局によって、前記構成情報に基づいて取得される、段階と；前記第一基地局によって、前記位置情報に基づいて前記複数の第二セルのうちから前記目標第二セルを判別する段階とを含む、方法を提供する。
【０００７】
従来技術では、UEがソース基地局（または現在のサービスする基地局）に目標セルのPCIを報告した後、PCI混乱が生じる場合、ソース基地局は、目標セルのCGIを読むためのUEのためのパラメータを構成する。CGIはグローバルにセルを一意的に特定できるので、目標セルのCGIを取得した後、ソース基地局は、混乱を引き起こすことなく、目標セルを一意的に決定できる。しかしながら、CGIを読むことをサービスする基地局が可能にするプロセスにおいて、追加的な信号交換が必要とされ、結果としてハンドオーバー遅延が増す。
【０００８】
本発明のこの実施形態では、サービスする基地局は目標基地局（すなわち、UEがそこにハンドオーバーされる必要のある基地局）に、UEがサービスする基地局に上りリンク測量参照信号SRSを送るときに使われる時間‐周波数資源の構成情報を送り、それにより、目標基地局は、該構成情報によって示される時間‐周波数資源上で、UEによってサービスする基地局に送られたSRS信号に対する検出を実行することができる。UEがその信号を検出できる場合、UEは「UEが接近中」というUEの位置情報を取得し、UEの情報をサービスする基地局に報告する。それにより、基地局はユーザー装置UEの位置を決定することに参加する。したがって、サービスする基地局は、UEが接近中である目標セルを知ることができる。このようにして、サービスする基地局は、目標セルのCGIを読むためのUEのためのパラメータを構成する必要なしに、UEがハンドオーバーされる必要のある目標セルを決定することができる。従来技術に比べて、追加的な信号交換が必要とされず、遅延が短縮される。
【０００９】
任意的に、第一の側面の第一の実装において、前記位置情報は目標第二セルのCGIを担持し、前記第一基地局によって、前記位置情報に基づいて前記複数の第二セルのうちから前記目標第二セルを判別する前記段階は：前記第一基地局によって、前記CGIに基づいて前記複数の第二セルのうちから前記目標第二セルを判別することを含む。
【００１０】
任意的に、第一の側面の第二の実装において、前記第一基地局によって、前記少なくとも二つの第二基地局のうちの前記目標第二セルに対応する目標第二基地局によって送られた前記UEの位置情報を受信する前記段階の前に、本方法は：前記第一基地局によって、前記目標第二基地局に構成情報を送り、それにより前記目標第二基地局が該構成情報に基づいてUEの前記位置情報を取得し、該位置情報を前記第一基地局に送ることを含む。
【００１１】
第二の側面によれば、本願は、第一基地局、少なくとも二つの第二基地局およびユーザー装置UEを含む通信システムに適用されるセル・ハンドオーバー方法であって、前記第一基地局は第一セルに対応し、前記第一セルはUEのサービスするセルであり、前記少なくとも二つの第二基地局は少なくとも二つの第二セルに対応し、前記少なくとも二つの第二セルは前記第一セルの近傍セルであり、前記少なくとも二つの第二セルは少なくとも二つのセル・グローバル識別情報CGIと一対一対応にあり、各CGIは当該通信システムにおいて対応する第二セルを一意的に識別するために使われ、各第二基地局は構成情報を記憶しており、前記構成情報は、UEが前記第一基地局に測量参照信号SRSを送るときに使われる時間‐周波数資源を示すために使われ、当該方法は：前記少なくとも二つの第二基地局のうちの目標第二基地局によって、前記構成情報に基づいてUEの位置情報を取得する段階と；前記目標第二基地局によって、前記位置情報を前記第一基地局に送る段階であって、UEによって送られたハンドオーバー要求を受信後に前記第一基地局が、前記ハンドオーバー要求において担持される目標第二セルの物理セル識別子PCIに対応する複数の第二セルから、前記位置情報に基づいて、UEがハンドオーバーされるべき目標第二セルを判別し、前記目標第二セルは前記少なくとも二つの第二基地局のうちの、前記目標第二セルに対応する基地局である、段階とを含む、
方法を提供する。
【００１２】
任意的に、第二の側面の第一の実装において、前記位置情報は目標第二セルのCGIを担持し、前記第一基地局は、前記CGIに基づいて前記PCIに対応する前記複数の第二セルのうちから前記目標第二セルを判別する。
【００１３】
任意的に、第二の側面の第二の実装において、前記少なくとも二つの第二基地局のうちの目標第二基地局によって、UEの位置情報を取得する前記段階の前に、本方法はさらに：前記目標第二基地局によって、前記第一基地局によって送られた構成情報を受信する段階を含み；目標第二基地局によって、前記構成情報に基づいてUEの位置情報を取得する前記段階は：前記目標第二基地局によって、前記構成情報によって示される時間‐周波数資源上でSRS信号検出を実行し；前記目標第二基地局が前記時間‐周波数資源上でSRS信号を検出するときに、前記目標第二基地局によってUEの前記位置情報を取得することを含む。
【００１４】
第三の側面によれば、制御ノード、第一基地局、少なくとも二つの第二基地局およびユーザー装置UEを含む通信システムに適用されるセル・ハンドオーバー方法であって、前記第一基地局は第一セルに対応し、前記第一セルはUEのサービスするセルであり、前記少なくとも二つの第二基地局は少なくとも二つの第二セルに対応し、前記少なくとも二つの第二セルは前記第一セルの近傍セルであり、前記少なくとも二つの第二セルは少なくとも二つのセル・グローバル識別情報CGIと一対一対応にあり、各CGIは当該通信システムにおいて対応する第二セルを一意的に識別するために使われ、各第二基地局は構成情報を記憶しており、前記構成情報は、UEが前記第一基地局に測量参照信号SRSを送るときに使われる時間‐周波数資源を示すために使われ、当該方法は：前記制御ノードによってハンドオーバー要求を取得する段階であって、前記ハンドオーバー要求は、前記UEが前記少なくとも二つの第二セルのうちの目標第二セルにハンドオーバーされることを要求することを示すために使われ、前記ハンドオーバー要求は前記目標第二セルの物理セル識別子PCIを担持する、段階と；前記制御ノードによって、前記PCIが複数の第二セルに対応していることを判別する段階と；前記制御ノードによって、前記UEの位置情報を取得する段階と；前記制御ノードによって、前記複数の第二セルのうちから前記目標第二セルを、前記位置情報に基づいて決定する段階とを含む、
方法が提供される。
【００１５】
任意的に、第三の側面の第一の実装において、前記位置情報は目標第二セルのCGIを担持し、前記制御ノードによって、前記複数の第二セルのうちから前記目標第二セルを、前記位置情報に基づいて決定する段階は：前記制御ノードによって、前記複数の第二セルのうちから前記目標第二セルを、前記CGIに基づいて決定することを含む。
【００１６】
任意的に、第三の側面の第二の実装において、前記制御ノードはアクセス・ゲートウェイ（Access  Gateway、AG）である。
【００１７】
第四の側面によれば、本願は、前記第一の側面または前記第一の側面の可能な実装のうちの任意のものにおける方法を実行するよう構成された基地局を提供する。具体的には、前記基地局は、前記第一の側面または前記第一の側面の可能な実装のうちの任意のものにおける方法を実行するよう構成されたユニットを含む。
【００１８】
第五の側面によれば、本願は、前記第二の側面または前記第二の側面の可能な実装のうちの任意のものにおける方法を実行するよう構成された基地局を提供する。具体的には、前記基地局は、前記第二の側面または前記第二の側面の可能な実装のうちの任意のものにおける方法を実行するよう構成されたユニットを含む。
【００１９】
第六の側面によれば、本願は、前記第三の側面または前記第三の側面の可能な実装のうちの任意のものにおける方法を実行するよう構成された制御ノードを提供する。具体的には、前記制御ノードは、前記第三の側面または前記第三の側面の可能な実装のうちの任意のものにおける方法を実行するよう構成されたユニットを含む。
【００２０】
第七の側面によれば、本願は基地局を提供し、前記基地局は、受信器と、送信器と、プロセッサと、メモリと、バス・システムとを含む。前記受信器、前記送信器、前記プロセッサおよび前記メモリは前記バス・システムを使って接続されている。前記メモリは命令を記憶するよう構成されており、前記プロセッサは前記メモリに記憶された命令を実行して、信号を受信するよう前記受信器を制御し、信号を送るよう前記送信器を制御するよう構成されている。前記プロセッサが前記メモリに記憶されている命令を実行するとき、該実行により、前記プロセッサは、前記第一の側面または前記第一の側面の可能な実装のうちの任意のものにおける方法を実行する。
【００２１】
第八の側面によれば、本願は基地局を提供し、前記基地局は、受信器と、送信器と、プロセッサと、メモリと、バス・システムとを含む。前記受信器、前記送信器、前記プロセッサおよび前記メモリは前記バス・システムを使って接続されている。前記メモリは命令を記憶するよう構成されており、前記プロセッサは前記メモリに記憶された命令を実行して、信号を受信するよう前記受信器を制御し、信号を送るよう前記送信器を制御するよう構成されている。前記プロセッサが前記メモリに記憶されている命令を実行するとき、該実行により、前記プロセッサは、前記第二の側面または前記第二の側面の可能な実装のうちの任意のものにおける方法を実行する。
【００２２】
第九の側面によれば、本願は制御ノードを提供し、前記制御ノードは、受信器と、送信器と、プロセッサと、メモリと、バス・システムとを含む。前記受信器、前記送信器、前記プロセッサおよび前記メモリは前記バス・システムを使って接続されている。前記メモリは命令を記憶するよう構成されており、前記プロセッサは前記メモリに記憶された命令を実行して、信号を受信するよう前記受信器を制御し、信号を送るよう前記送信器を制御するよう構成されている。前記プロセッサが前記メモリに記憶されている命令を実行するとき、該実行により、前記プロセッサは、前記第三の側面または前記第三の側面の可能な実装のうちの任意のものにおける方法を実行する。
【００２３】
第十の側面によれば、本願は、コンピュータ・プログラムを記憶するよう構成されているコンピュータ可読媒体を提供する。ここで、前記コンピュータ・プログラムは、前記第一の側面または前記第一の側面の可能な実装のうちの任意のものにおける方法を実行するために使われる命令を含む。
【００２４】
第十一の側面によれば、本願は、コンピュータ・プログラムを記憶するよう構成されているコンピュータ可読媒体を提供する。ここで、前記コンピュータ・プログラムは、前記第二の側面または前記第二の側面の可能な実装のうちの任意のものにおける方法を実行するために使われる命令を含む。
【００２５】
第十二の側面によれば、本願は、コンピュータ・プログラムを記憶するよう構成されているコンピュータ可読媒体を提供する。ここで、前記コンピュータ・プログラムは、前記第三の側面または前記第三の側面の可能な実装のうちの任意のものにおける方法を実行するために使われる命令を含む。
【００２６】
本願で提供される技術的解決策においては、基地局がユーザー装置の位置を判別することに参加し、それにより目標セルPCI混乱が生じるとき、基地局はユーザー装置の位置情報に基づいて、同じPCIをもつ複数のセルのうちから目標セルを決定し、遅延を増すことなくハンドオーバーを実装することができる。
【図面の簡単な説明】
【００２７】
本発明の実施形態における技術的解決策をより明瞭に記述するために、下記は本発明の実施形態を記述するために必要とされる付属の図面を簡単に説明する。明らかに、以下の記述における付属の図面は単に本発明のいくつかの実施形態を示すものであり、当業者は創造的な努力なしにこれらの付属の図面からさらに他の図面を導出しうる。
【００２８】
【図１】本発明のある実施形態におけるセル・ハンドオーバー方法が適用されうる適用シナリオの概略図である。
【００２９】
【図２】PCI混乱の概略図である。
【００３０】
【図３】本発明のある実施形態に基づくセル・ハンドオーバー方法の概略的な対話図である。
【００３１】
【図４】本発明のもう一つの実施形態に基づくセル・ハンドオーバー方法の概略的な対話図である。
【００３２】
【図５】本発明のある実施形態に基づく基地局の概略的なブロック図である。
【００３３】
【図６】本発明のもう一つの実施形態に基づく基地局の概略的なブロック図である。
【００３４】
【図７】本発明のさらにもう一つの実施形態に基づく制御ノードの概略的なブロック図である。
【００３５】
【図８】本発明のある実施形態に基づく基地局の概略的な構造図である。
【００３６】
【図９】本発明のもう一つの実施形態に基づく基地局の概略的な構造図である。
【００３７】
【図１０】本発明のさらにもう一つの実施形態に基づく制御ノードの概略的な構造図である。
【発明を実施するための形態】
【００３８】
下記は、本発明の実施形態における付属の図面を参照して本発明の実施形態における技術的解決策を明瞭かつ完全に記述する。明らかに、記載される実施形態は本発明の実施形態の全部ではなく、一部である。創造的努力なしに本発明の実施形態に基づいて当業者によって得られる他のすべての実施形態は、本発明の保護範囲内にはいる。
【００３９】
本発明の技術的解決策は、グローバル移動通信システム（Global  System  for  Mobile  Communications、GSM）システム、符号分割多重アクセス（Code  Division  Multiple  Access、CDMA）システム、ワイドバンド符号分割多重アクセス（Wideband  Code  Division  Multiple  Access、WCDMA）システム、一般パケット無線サービス（General  Packet  Radio  Service、GPRS）システム、ロングタームエボリューション（Long  Term  Evolution、LTE）システム、LTE周波数分割複信（Frequency  Division  Duplex、FDD）システム、LTE時分割複信（Time  Division  Duplex、TDD）システムおよび万国移動通信システム（Universal  Mobile  Telecommunications  System、UMTS）のようなさまざまな通信システムに適用されうることを理解しておくべきである。
【００４０】
また、本発明の実施形態では、ユーザー装置（User  Equipment、UE）は端末（Terminal）、移動局（Mobile  Station、MS）、モバイル端末（Mobile  Terminal）などと称されうることも理解しておくべきである。ユーザー装置は、無線アクセス・ネットワーク（Radio  Access  Network、RAN）を通じて一つまたは複数のコア・ネットワークと通信してもよい。たとえば、ユーザー装置は携帯電話（「セルラー」電話とも称される）またはモバイル端末をもつコンピュータであってもよい。たとえば、ユーザー装置は、ポータブル、ポケットサイズ、ハンドヘルド、コンピュータ組み込みまたは車載のモバイル装置であって、無線アクセス・ネットワークと音声および／またはデータを交換するものであってもよい。
【００４１】
本発明の実施形態において、基地局は、GSMまたはCDMAにおけるベース・トランシーバー・ステーション（Base  Transceiver  Station、BTS）であってもよく、WCDMAにおけるノードB（NodeB、NB）であってもよく、あるいはLTEにおける進化型ノードB（Evolved  Node  B、eNBまたはe-NodeB）であってもよい。これは本発明において限定されない。
【００４２】
本発明の実施形態におけるハンドオーバー方法は、マクロ基地局の間でのUEのハンドオーバー、マイクロ基地局の間でのUEのハンドオーバーおよびマクロ基地局とマイクロ基地局の間でのUEのハンドオーバーに適用可能であることも理解しておくべきである。理解および記述の容易のために、本発明の実施形態では、本発明の実施形態におけるセル・ハンドオーバー方法を記述するために、UEがマクロ基地局からマイクロ基地局にハンドオーバーされることだけが例として使われる。
【００４３】
本発明の実施形態において、第一基地局はマクロ基地局であってもよく、対応して第一セルはマクロセル（macro  cell）であってもよい。第二基地局はマイクロ基地局、ピコ基地局、フェムト基地局などであってもよい。対応して第二セルはマイクロセル（micro  cell）、ピコセル（pico  cell）またはフェムトセル（femto  cell）であってもよい。これは、本発明の実施形態において限定されない。
【００４４】
本発明の実施形態において、数「第一」および「第二」は単に異なる対象の間の区別をするために、たとえば異なる基地局またはセルの間の区別をするために使われているのであって、本発明の実施形態の保護範囲に対して何の限定もなすべきではないことを注意しておくべきである。
【００４５】
図１は、本発明のある実施形態におけるセル・ハンドオーバー方法が適用されうる適用シナリオを示している。図１に示されるように、このシナリオでは、マクロ基地局Aおよび複数（図１では六個）のマイクロ基地局がある。マクロ基地局は一つのセル（区別および説明の簡単のため、以下ではマクロセルと称される）に対応する。各マイクロ基地局は一つのセルに対応し、マクロセルのカバレッジ・エリア内である。マイクロ基地局Bおよびマイクロ基地局Cの物理セル識別子（Physical  Cell  Identifier、PCI）PCIはいずれも100である。
【００４６】
PCIは主要同期信号（Primary  Synchronization  Signal、PSS）および副次同期信号（Secondary  Synchronization  Signal、SSS）を含むことを注意しておくべきである。LTEでは、端末は異なるPCIに基づいて無線信号の間の区別をする。既存のLTEでは、0から503の範囲の値をもつ合計504個のPCIが提供されている。
【００４７】
通例、PCIは実際の状況に基づいてエリア内で計画され、次いで諸基地局のために構成される必要がある。PCIが適正に計画されるとき、エリア内の各セルが異なるPCIを使うことが保証されうる。しかしながら、PCIが適正に計画されない場合には、PCI混乱が起こることがある。
【００４８】
PCI混乱とは、あるセルの近傍セルにおける二つ以上の周波数内セルが同じPCIを使い、結果として、サービスするセルがこれらの近傍セル（すなわち、サービスするセルに隣接するセル）の間の区別をすることができないことを意味する。
【００４９】
図２は、PCI混乱の概略図である。図２に示されるように、ユーザー装置UEの現在のサービスするセルがセルAであり、セルAが三つの近傍セル：セルB、セルCおよびセルDをもつとする。セルAのPCI値は101であり、セルBおよびセルCのPCI値はいずれも102であり、セルDのPCI値は103である。LTEプロトコルでは、ハンドオーバー・プロセスにおいて、UEはまず、サービスするセルの複数の近傍セルに対する測定を実行して、前記複数の近傍セルから目標セルを選択し、該目標セルのPCIを基地局に報告する。サービスする基地局は、UEによって送られた目標セルのPCIに基づいて、前記複数の近傍セルのうちから目標セルを判別する。それにより、UEはサービスするセルから目標セルにハンドオーバーされる。図２では、UEによって選択された目標セルがセルBであるとすると、UEによってサービスする基地局に報告された目標セルのPCIは102である。しかしながら、単にこのPCIに基づくだけでは、サービスする基地局は、UEがハンドオーバーされる必要のある目標セルがセルBであるのかセルCであるのか判別することができない。この場合がPCI混乱と称される。
【００５０】
従来技術では、PCI混乱が起こるとき、サービスする基地局がUEがハンドオーバーされる必要のある目標セルを正しく判別できるようにするために、二つの仕方が使われる。一方の仕方は次のようなものである：eNBの近傍セル管理プロセスにおいて、eNBが自分が同じPCIをもつ二つの近傍セルをもつことを見出す場合、eNBはアラームをトリガーする。eNBは該アラームを使うことによって、管理人員に、手動でPCIを修正するまたはPCIを割り当て直すよう指示する。明らかに、この仕方は高い労働コストを要求する。さらに、PCI修正は既存のネットワーク計画に影響することがありうる。他方の仕方は次のようなものである：ハンドオーバー・プロセスにおいて、PCI混乱が起こる場合、サービスする基地局はCGIを読むUEのためのパラメータを構成する。CGIは、セルのセル・グローバル識別情報であり、セルを一意的に特定できる。したがって、CGIを読むことによって、目標セルのセル識別子IDおよびeNBの識別子IDが取得されることができ、それにより目標セルが見出される。しかしながら、CGIを読むためには、サービスする基地局は、UEによって送られた測定報告を受信後、UEのためのパラメータを構成する必要がある。これは遅延を増し、通話途絶リスクをもたらし、ユーザー経験に影響する。さらに、CGIを読むために、UEは、不連続受信（Discontinuous  Reception、DRX）モードに構成される必要がある。しかしながら、DRXは中断されることがある。すなわち、これは読みの失敗のリスクがありえ、ハンドオーバー失敗を引き起こしうる。PCI混乱のための既存の技術的解決策では、追加的な信号交換プロセスが要求され、ハンドオーバー遅延が増すことがわかる。
【００５１】
本発明のこの実施形態では、セル・ハンドオーバー方法は複数のシナリオに適用されうる。たとえば、制御ノードのない周波数内マクロおよびマイクロ・カバレッジ・シナリオ（すなわち、シナリオ１）では、一つのマクロ基地局および複数のマイクロ基地局ならびに比較的大量の近傍セルがある。もう一つの例として、制御ノードのある周波数内マクロおよびマイクロ・カバレッジ・シナリオ（すなわち、シナリオ２）では、一つのマクロ基地局および複数のマイクロ基地局ならびに比較的大量の近傍セルがある。
【００５２】
図３および図４を参照して、下記ではシナリオ１およびシナリオ２における本発明のこの実施形態におけるセル・ハンドオーバー方法の適用を詳述する。
【００５３】
シナリオ１。
【００５４】
図３は、本発明のある実施形態に基づくセル・ハンドオーバー方法の概略的な対話図である。図３に示されるように、本方法は下記の段階を含む。
【００５５】
２０１。マクロ基地局が、UEによって送られたハンドオーバー要求を受信する。前記ハンドオーバー要求は目標第二セルのPCIを担持する。
【００５６】
セル測定を実行後、UEは該UEがハンドオーバーされるべき目標セルのPCIを決定する。次いで、UEはサービスする基地局にハンドオーバー要求を送り、サービスする基地局に測定結果を報告する。UEがセル測定を実行して測定結果を報告するプロセスは、従来技術におけるものと同じである。簡単のため、ここで詳細を記述することはしない。
【００５７】
マクロ基地局（つまり、第一基地局の例）はUEによって送られたハンドオーバー要求を受信する。ここで、ハンドオーバー要求は、UEが、サービスするセルから目標セルにハンドオーバーされることを要求していることを示すために使われ、ハンドオーバー要求は目標セルのPCIを担持する。
【００５８】
２０２。マクロ基地局が、前記PCIが複数の第二セルに対応していることを判別する。
【００５９】
図１に示される適用シナリオを参照するに、ハンドオーバー要求に担持されている目標セルのPCIが100であれば、PCIが100である二つのセルがある。すなわち、マイクロ基地局Bおよびマイクロ基地局Cに対応するセルである。この場合、マクロ基地局は、PCI＝100に基づいて、UEがハンドオーバーされる必要があるのがマイクロ基地局に対応するセルであるのかマイクロ基地局Cに対応するセルであるのか決定することができない。
【００６０】
２０３。マクロ基地局が、目標マイクロ基地局によって送られた前記UEの位置情報を受信する。
【００６１】
ここでの目標マイクロ基地局とは、マクロ基地局のカバレッジ・レンジ内の複数の近傍セルにおける前記目標セルに対応するマイクロ基地局であることを理解しておくべきである。
【００６２】
UEの位置情報は、構成情報に基づいて目標マイクロ基地局（すなわち、目標第二基地局の例）によって取得される。構成情報は、UEがマクロ基地局に測量参照信号（Sounding  Reference  Signal、SRS）を送るときに使われる時間‐周波数資源を示すために使われる。
【００６３】
任意的に、本発明のこの実施形態において、各マイクロ基地局は前記構成情報を記憶している。前記構成情報によって示される時間‐周波数資源（区別および理解の簡単のため、以下では時間‐周波数資源#Aと称される）に基づいて、すべてのマイクロ基地局は時間‐周波数#A上でSRS信号検出を実行する。
【００６４】
マイクロ基地局Cが時間‐周波数資源#A上でSRS信号を検出できない場合、そのことは、「UEが去った」または「UEはまだ遠い」ことを示す。よって、UEがハンドオーバーされる必要のあるセルは、マイクロ基地局Cに対応するセルではない。
【００６５】
マイクロ基地局Bが時間‐周波数資源#A上でSRS信号を受信する場合、そのことは、「UEが接近中である」または「UEがマイクロ基地局Bに対応するセル内にはいっている」ことを示す。この場合、マイクロ基地局Bは、UEの前記位置情報を取得する。
【００６６】
任意的に、マイクロ基地局によって送られた位置情報を受信する前に、マクロ基地局はまた、前記構成情報をすべてのマイクロ基地局に送ってもよい。
【００６７】
本発明のこの実施形態では、構成情報は、マイクロ基地局によって事前に記憶されていてもよく、あるいはマクロ基地局がUEのハンドオーバー要求を受信した後にマクロ基地局から各マイクロ基地局に送られてもよい。このようにして、各マイクロ基地局は、UEが当該マイクロ基地局に接近しつつあるかどうかを判定するよう、前記構成情報によって示される時間‐周波数資源に基づいて信号検出を実行しうる。
【００６８】
簡潔のため、図３の概略的な対話図には目標マイクロ基地局しか示されていないことを注意しておくべきである。実際には、本発明のこの実施形態において、マクロ基地局は構成情報を、マクロセルのカバレッジ・エリア内のすべてのマイクロ基地局に送る。たとえば、図２において、セルAに対応する基地局が構成情報を、すべての近傍セル（すなわち、セルB、セルCおよびセルD）に対応する基地局に送る。換言すれば、セルB、セルCおよびセルDにそれぞれ対応する基地局は構成情報を受信し、構成情報によって示される時間‐周波数資源上でSPS信号検出を実行する。
【００６９】
本発明のこの実施形態では、マクロ基地局が一つのUEの構成情報を送る例のみを使って記述が提供されていることも注意しておくべきである。マクロ基地局に対応するマクロセルのカバレッジ・エリア内に複数のUEがあるときは、マクロ基地局によって生成された構成情報は、前記複数のUEがSRS情報をマクロ基地局に送るときに使われる諸時間‐周波数資源を含むことが理解されうる。
【００７０】
本発明のこの実施形態において、構成情報はマクロ基地局によって生成される（または構成される）。加えて、マクロ基地局が構成情報を生成するプロセスは、従来技術におけるものと同じである。詳細をここで述べることはしない。
【００７１】
本発明のこの実施形態では、UEの位置情報は「UEが接近中である」という情報であることを注意しておくべきである。
【００７２】
マイクロ基地局が前記時間‐周波数資源上でUEによってマクロ基地局に送られたSRS信号を受信した後、マイクロ基地局は、該SRS信号をデコードすることによって、SRS信号を送っているUEを知りうることを理解しておくべきである。換言すれば、本発明のこの実施形態では、マクロ基地局は、各UEが他のどのUEによって使われるものとも異なる時間‐周波数資源を使うよう、異なるUEについての異なる時間‐周波数資源を構成してもよい。マクロ基地局は、各マイクロ基地局に構成情報を送る。マイクロ基地局は、構成情報によって示される時間‐周波数資源に基づいてSRS信号検出を実行する。マイクロ基地局がある時間‐周波数資源上でSRS信号を受信するとき、マイクロ基地局は、UEと時間‐周波数資源との間の対応に基づいて、その時間‐周波数資源上でSRS信号を送っているUEを知り、次いで、そのUEの位置情報をマクロ基地局に送ることができる。あるいはまた、マクロ基地局は、異なるUEについて同じ時間‐周波数資源を構成して、異なるUEの間の区別を符号分割式に行なってもよい。このようにして、マイクロ基地局は、受信されたSRS信号をデコードすることによって、SRS信号を送っているUEを判別し、そのUEの位置情報をマクロ基地局に送ることができる。
【００７３】
２０４。マクロ基地局が、前記位置情報に基づいて、UEによって報告されたPCIに対応する複数のセルのうちから目標セルを判別する。
【００７４】
マイクロ基地局Bによって送られたUEの位置情報を受信した後、マクロ基地局は、UEが接近しつつあるマイクロ基地局はマイクロ基地局Bであることを知りうる。したがって、UEがハンドオーバーされる必要のある目標セルは、マイクロ基地局Bに対応するセルである。このようにして、マクロ基地局は、マイクロ基地局Bおよびマイクロ基地局Cのうちから、目標マイクロ基地局はマイクロ基地局Cではなくマイクロ基地局Bであることを判別できる。換言すれば、ひとたびマイクロ基地局Bが決定されたら、マイクロ基地局Bに対応するセルが目標セルであることが判別される。
【００７５】
本発明のこの実施形態において、複数のマイクロ基地局がUEによってマクロ基地局に送られたSRS信号を同時に検出してUEの位置情報をマクロ基地局に送る場合、マクロ基地局は、前記複数のセルのうちから、各マイクロ基地局によって受信されたSRS信号の強度、品質などに基づいて、UEがハンドオーバーされる必要のある目標セルを選択しうることを理解しておくべきである。
【００７６】
たとえば、引き続き図１を参照するに、マイクロ基地局Bおよびマイクロ基地局Cの両方がUEによってマクロ基地局に送られたSRS信号を検出して、「UEが接近中である」という位置情報をマクロ基地局に送るとする。この場合、マイクロ基地局Bおよびマイクロ基地局Cによってマクロ基地局に送られる位置情報は、受信されたSRS信号の強度、品質などを担持する。UEはマイクロ基地局Bに連続的に接近しつつあるので、比較すると、マイクロ基地局Bによって受信されるSRS信号の強さはマイクロ基地局Cによって受信されるSRS信号の強さよりも大きいはずであることを理解しておくべきである。この場合、マクロ基地局はまた、マイクロ基地局Bおよびマイクロ基地局Cのうちから、それらのマイクロ基地局によって受信されたSRS信号の強度、品質などを参照して、より大きな強度をもつSRS信号を受信するマイクロ基地局Bを、目標マイクロ基地局として決定してもよい。このようにして、目標セルが決定される。
【００７７】
任意的に、ある実施形態では、位置情報は目標セルのCGIを担持する。
【００７８】
本発明のこの実施形態では、目標基地局がUEの位置情報をマクロ基地局に送るとき、目標セルのCGIは該位置情報において担持される。このようにして、目標基地局によって送られた目標セルのCGIを受信後、マクロ基地局は、同じPCIをもつ前記複数のセルから、目標セルのCGIに基づいて目標セルを判別しうる。
【００７９】
CGIがセル・グローバル識別情報であり、セルを一意的に特定できることを注意しておくべきである。目標セルのCGIを受信後、マクロ基地局は、前記複数のセルのうちから一意的な目標セルを判別しうる。
【００８０】
本発明のこの実施形態におけるセル・ハンドオーバー方法によれば、基地局が、ユーザー装置の位置を決定することに参加する。それにより、目標セルPCI混乱の場合、基地局は、ハンドオーバーを完了するために、ユーザー装置の位置情報に基づいて、同じPCIをもつ前記複数のセルのうちから目標セルを決定することができる。従来技術に比べて、セル・ハンドオーバーは遅延を増すことなく完了されることができる。
【００８１】
加えて、従来技術では、PCI混乱が起こるとき、基地局はCGIを読むためのUEのためのパラメータを構成する。これは、読みの失敗のリスクにつながり、ハンドオーバー失敗を引き起こすことがありうる。しかしながら、本発明のこの実施形態では、近傍の基地局（この場合、近傍の基地局は目標基地局である）が、UEの位置情報を検出後、UEの位置情報をサービスする基地局に報告し、それにより可能なCGIの読みの失敗によって引き起こされるハンドオーバー失敗を回避する。
【００８２】
シナリオ２。
【００８３】
図４は、本発明のもう一つの実施形態に基づくセル・ハンドオーバー方法の概略的な対話図である。図４に示されるように、本方法は下記の段階を含む。
【００８４】
３０１。マクロ基地局が、構成情報を制御ノードに送る。
【００８５】
本発明のこの実施形態において、制御ノードはアクセス・ゲートウェイ（Access  Gateway、AG）または仮想eNBでありうることを理解しておくべきである。これは本発明のこの実施形態において限定されない。
【００８６】
シナリオ１における記述と同様に、構成情報は制御ノードに事前に記憶されていてもよく、あるいは構成情報は、マクロ基地局がUEによって送られたハンドオーバー要求を受信した後に、マクロ基地局によって制御ノードに送られてもよく、あるいは、制御ノードに構成情報が事前に記憶されているが、マクロ基地局によって構成された構成情報が変更されるときにはマクロ基地局が再構成された構成情報を制御ノードに送る。
【００８７】
３０２。制御ノードは構成情報を各マイクロ基地局に送る。
【００８８】
構成情報は、UEがマクロ基地局にSRS信号を送るときに使われる時間‐周波数資源を示すために使われる。構成情報については、上記の記述が参照されてもよい。ここで再び詳細を述べることはしない。
【００８９】
本稿での「各マイクロ基地局」とはマクロ基地局に対応するマクロセルのカバレッジ・エリア内のすべてのマイクロ基地局を含むことを理解しておくべきである。換言すれば、「各マイクロ基地局」は、マクロセルのすべての近傍セルに対応する基地局を含む。
【００９０】
３０３。マイクロ基地局が、構成情報によって示される時間‐周波数資源上でSRS信号検出を実行する。
【００９１】
具体的には、マイクロ基地局（目標マイクロ基地局を含む）は、マクロ基地局のSRS時間スロットにおいてSRS信号検出を実行する。SRS信号が受信される場合、そのことは「UEが接近中である」ことを示す。SRS信号が受信されない場合、そのことは、「UEが去った」または「UEはまだ遠い」ことを示す。
【００９２】
３０４。制御ノードは、目標マイクロ基地局によって送られたUEの位置情報を受信する。
【００９３】
任意的に、目標マイクロ基地局は、UEの位置情報をマクロ基地局に送ってもよく、マクロ基地局がUEの位置情報を制御ノードに転送する。図４では、目標マイクロ基地局がUEの位置情報を直接、制御ノードに送る例のみを使って記述が提供されている。本発明のこの実施形態はそれへの限定を設定するものではない。
【００９４】
３０５。マクロ基地局はUEによって送られた測定報告を受信し、該測定報告は目標セルのPCIを担持する。
【００９５】
マクロ基地局が段階３０５においてUEによって送られた測定報告を受信する前に、マクロ基地局はハンドオーバー測定命令をUEに送って、近傍セル測定を実行するようUEに命令する必要があることを理解しておくべきである。近傍セル測定を実行後、UEは測定報告をマクロ基地局に送り、該測定報告は目標セルのPCIを担持する。
【００９６】
UEは測定報告をマクロ基地局に定期的にまたはイベントに基づいて送りうることを注意しておくべきである。報告プロセスは、従来技術におけるものと同様であり、詳細は本稿では述べない。
【００９７】
３０６。マクロ基地局は目標セルのPCIを制御ノードに送る。
【００９８】
段階３０４と同様に、図４では、マクロ基地局がUEによって報告された目標セルのPCIを受信後にPCIを制御ノードに送る例のみを使って記述が提供されている。明らかに、UEは代替的に、目標セルのPCIを制御ノードに直接、送ってもよい。
【００９９】
３０７。制御ノードは、目標マイクロ基地局によって送られたUEの位置情報および目標セルのPCIに基づいて、目標セルを判別する。
【０１００】
制御ノードはまずPCIに対応する複数のセル（目標セルを含む）を判別し、次いで、該複数のセルから、UEの位置情報を参照して、UEが接近しつつあるセルを目標セルとして判別する。
【０１０１】
目標セルを判別した後、制御ノードは、ハンドオーバー命令を目標セルに送ってセル・ハンドオーバーを完了する。
【０１０２】
図３および図４におけるマクロ基地局は、本発明の実施形態に基づく第一基地局の例であることを理解しておくべきである。目標マイクロ基地局は、本発明の実施形態における目標第二基地局の例である。対応して、マクロセルは第一セルの例であり、複数のマイクロ基地局に対応する複数のセルは本発明の実施形態に基づく複数の第二セルの例である。
【０１０３】
上記はシナリオ１およびシナリオ２を、本発明のこの実施形態におけるセル・ハンドオーバー方法を記述するための例として使っているだけであることを注意しておくべきである。これは、本発明の実施形態の保護範囲に対するいかなる限定としても解釈されるべきではない。本発明のこの実施形態におけるセル・ハンドオーバーの、他の適用シナリオにおける適用も、本発明の実施形態の保護範囲内にはいる。
【０１０４】
本発明のこの実施形態におけるセル・ハンドオーバー方法によれば、基地局は、追加的な信号交換なしに、ユーザー装置の位置を判別することによって、同じPCIをもつ複数のセルのうちから目標セルを正しく判別することができる。よって、PCI混乱が起こるとき、セル・ハンドオーバーが遅延を増すことなく完了されることができる。
【０１０５】
上記は、図１ないし図４を参照して本発明の実施形態におけるセル・ハンドオーバー方法を詳述している。下記は、図５ないし図７を参照して本発明の実施形態におけるセル・ハンドオーバーのために使われる基地局および制御ノードを記述する。
【０１０６】
図５は、本発明のある実施形態に基づく基地局４００の概略図である。図５に示されるように、基地局４００は：
UEによって送られたハンドオーバー要求を受信するよう構成された受信ユニット４１０であって、前記ハンドオーバー要求は前記UEが前記少なくとも二つの第二セルのうちの目標第二セルにハンドオーバーされることを要求することを示すために使われ、前記ハンドオーバー要求は前記目標第二セルの物理セル識別子PCIを担持する、受信ユニットと；
前記PCIが複数の第二セルに対応していることを判別するよう構成された処理ユニット４２０とを含み、
前記受信ユニット４１０はさらに、少なくとも二つの第二基地局のうちの前記目標第二セルに対応する目標第二基地局によって送られた前記UEの位置情報を受信するよう構成されており、前記位置情報は前記目標第二基地局によって、前記構成情報に基づいて取得され；
前記処理ユニット４２０はさらに、前記位置情報に基づいて前記複数の第二セルのうちから前記目標第二セルを判別するよう構成されている。
【０１０７】
本発明のこの実施形態における基地局４００におけるユニットの上記およびその他の動作または機能は、本発明の実施形態におけるセル・ハンドオーバー方法における第一基地局によって実行される対応する手順を実装するために使われる。簡潔のため、ここで再び詳細を述べることはしない。
【０１０８】
したがって、本発明のこの実施形態におけるセル・ハンドオーバー方法によれば、PCI混乱が起こるとき、目標第二基地局がユーザー装置の位置を判別し、ユーザー装置の位置情報を第一基地局に送り、それにより第一基地局は目標セルを正しく判別できる。追加的な信号交換が必要とされないので、セル・ハンドオーバーは、遅延を増すことなく実施できる。
【０１０９】
図６は、本発明のある実施形態に基づく基地局５００の概略図である。図６に示されるように、基地局５００は：
構成情報に基づいてUEの位置情報を取得するよう構成された取得ユニット５１０と；
前記位置情報を第一基地局に送るよう構成された送信ユニット５２０とを含み、前記UEによって送られたハンドオーバー要求を受信後に前記第一基地局が、前記ハンドオーバー要求において担持される目標第二セルの物理セル識別子PCIに対応する複数の第二セルから、前記位置情報に基づいて、前記UEがハンドオーバーされる必要のある目標第二セルを判別し、前記基地局は、前記目標第二セルに対応する、少なくとも二つの基地局のうちの基地局である。
【０１１０】
本発明のこの実施形態における基地局５００におけるユニットの上記およびその他の動作または機能は、本発明の実施形態において目標第二基地局によって実行される対応する手順を実装するために使われる。簡潔のため、ここで再び詳細を述べることはしない。
【０１１１】
したがって、本発明のこの実施形態におけるセル・ハンドオーバー方法によれば、PCI混乱が起こるとき、目標第二基地局がユーザー装置の位置を判別し、ユーザー装置の位置情報を第一基地局に送り、それにより第一基地局は目標セルを正しく判別できる。追加的な信号交換が必要とされないので、セル・ハンドオーバーは、遅延を増すことなく実施できる。
【０１１２】
図７は、本発明のある実施形態に基づく制御ノード６００の概略図である。図７に示されるように、制御ノード６００は：
ハンドオーバー要求を取得するよう構成された取得ユニット６１０であって、前記ハンドオーバー要求は、UEが少なくとも二つの第二セルのうちの目標第二セルにハンドオーバーされることを要求することを示すために使われ、前記ハンドオーバー要求は前記目標第二セルの物理セル識別子PCIを担持する、取得ユニットと；
前記PCIが複数の第二セルに対応していることを判別するよう構成された処理ユニット６２０とを含み、
前記取得ユニット６１０はさらに、前記UEの位置情報を取得するよう構成されており；
前記処理ユニット６２０はさらに、前記複数の第二セルのうちから前記目標第二セルを、前記位置情報に基づいて決定するよう構成されている。
【０１１３】
本発明のこの実施形態における制御ノード６００におけるユニットの上記およびその他の動作または機能は、本発明の実施形態において制御ノードによって実行される対応する手順を実装するために使われる。簡潔のため、ここで再び詳細を述べることはしない。
【０１１４】
したがって、本発明のこの実施形態におけるセル・ハンドオーバー方法によれば、PCI混乱が起こるとき、目標第二基地局がユーザー装置の位置を判別し、ユーザー装置の位置情報を制御ノードに送り、それにより制御ノードは目標セルを正しく判別できる。追加的な信号交換が必要とされないので、セル・ハンドオーバーは、遅延を増すことなく実施できる。
【０１１５】
上記は、図５ないし図７を参照して本発明の実施形態におけるセル・ハンドオーバー方法を詳述している。下記は、図８ないし図１０を参照して本発明の実施形態における基地局および制御ノードを記述する。
【０１１６】
図８は、本発明のある実施形態に基づく基地局７００の概略的な構造図である。基地局７００は、少なくとも二つの第二基地局およびユーザー装置UEを含む通信システムにおいて構成され、当該基地局は第一セルに対応し、前記第一セルはUEのサービスするセルであり、前記少なくとも二つの第二基地局は少なくとも二つの第二セルに対応し、前記少なくとも二つの第二セルは前記第一セルの近傍セルであり、前記少なくとも二つの第二セルは少なくとも二つのセル・グローバル識別情報CGIと一対一対応にあり、各CGIは当該通信システムにおいて対応する第二セルを一意的に識別するために使われ、各第二基地局は構成情報を記憶しており、前記構成情報は、UEが当該基地局に測量参照信号SRSを送るときに使われる時間‐周波数資源を示すために使われる。図８に示されるように、基地局７００は、受信器７１０と、送信器７２０と、プロセッサ７３０と、メモリ７４０と、バス・システム７５０とを含む。前記受信器７１０、前記送信器７２０、前記プロセッサ７３０および前記メモリ７４０は前記バス・システム７５０を使って接続されている。前記メモリ７４０は命令を記憶するよう構成されており、前記プロセッサ７３０は前記メモリ７４０に記憶された命令を実行して、信号を受信するよう前記受信器７１０を制御し、信号を送るよう前記送信器７２０を制御するよう構成されている。
【０１１７】
受信器７１０は、前記UEによって送られたハンドオーバー要求を受信するよう構成されており、前記ハンドオーバー要求は前記UEが前記少なくとも二つの第二セルのうちの目標第二セルにハンドオーバーされることを要求することを示すために使われ、前記ハンドオーバー要求は前記目標第二セルの物理セル識別子PCIを担持する。
【０１１８】
プロセッサ７３０は、前記PCIが複数の第二セルに対応していることを判別するよう構成される。
【０１１９】
受信器７１０はさらに、前記少なくとも二つの第二基地局のうちの前記目標第二セルに対応する目標第二基地局によって送られた前記UEの位置情報を受信するよう構成される。前記位置情報は前記目標第二基地局によって、前記構成情報に基づいて取得される。
【０１２０】
プロセッサ７３０はさらに、前記位置情報に基づいて前記複数の第二セルのうちから前記目標第二セルを判別するよう構成される。
【０１２１】
本発明のこの実施形態において、プロセッサ７３０は中央処理ユニット（central  processing  unit、略「CPU」）であってもよく、あるいはプロセッサ７３０は別の汎用プロセッサ、デジタル信号プロセッサ（DSP）、特定用途向け集積回路（ASIC）、フィールドプログラマブルゲートアレイ（FPGA）または別のプログラム可能な論理デバイス、離散的ゲートもしくはトランジスタ論理デバイス、離散的なハードウェア・コンポーネントなどであってもよい。汎用プロセッサはマイクロプロセッサであってもよく、あるいはプロセッサはいかなる通常のプロセッサなどであってもよい。
【０１２２】
メモリ７４０は読み出し専用メモリおよびランダムアクセスメモリを含んでいてもよく、命令およびデータをプロセッサ８３０に提供してもよい。メモリ７４０の一部はさらに、不揮発性ランダムアクセスメモリを含んでいてもよい。たとえば、メモリ７４０は、デバイスの型の情報をさらに記憶していてもよい。
【０１２３】
データ・バスに加えて、バス・システム７５０は、電力バス、制御バス、状態信号バスなどを含んでいてもよい。しかしながら、明瞭な記述のため、さまざまなバスは図ではバス・システム７５０としてマークされている。
【０１２４】
実装の際は、上記の方法の段階は、プロセッサ７３０におけるハードウェアの集積論理回路を使って、あるいはソフトウェアの形の命令を使って実装されてもよい。本発明の実施形態を参照して開示されたセル・ハンドオーバー方法の段階は、ハードウェア・プロセッサを使って直接実行されてもよく、あるいは前記プロセッサにおけるハードウェアとソフトウェア・モジュールとの組み合わせを使って実行されてもよい。ソフトウェア・モジュールは、ランダムアクセスメモリ、フラッシュメモリ、読み出し専用メモリ、プログラム可能型読み出し専用メモリまたは電気的に消去可能なプログラム可能型メモリまたはレジスタといった当技術分野において成熟した記憶媒体に位置されていてもよい。記憶媒体はメモリ７４０に位置される。プロセッサ７３０はメモリ７４０における情報を読み、プロセッサのハードウェアとの組み合わせにおいて上記の方法の段階を実行する。反復を避けるために、ここで再び詳細を述べることはしない。
【０１２５】
本発明のこの実施形態における基地局７００におけるユニットの上記およびその他の動作または機能は、本発明の実施形態において第一基地局によって実行される対応する手順を実装するために使われる。簡潔のため、ここで再び詳細を述べることはしない。
【０１２６】
したがって、PCI混乱が起こるとき、本発明のこの実施形態における基地局が目標第二基地局によって送られたユーザー装置の位置情報を受信し、目標セルを正しく判別できる。追加的な信号交換が必要とされないので、セル・ハンドオーバーは、遅延を増すことなく実施できる。
【０１２７】
図９は、本発明のある実施形態に基づく基地局８００の概略的な構造図である。基地局８００は、第一基地局、少なくとも二つの基地局およびユーザー装置UEを含む通信システムにおいて構成され、前記第一基地局は第一セルに対応し、前記第一セルはUEのサービスするセルであり、前記少なくとも二つの基地局は少なくとも二つの第二セルに対応し、前記少なくとも二つの第二セルは前記第一セルの近傍セルであり、前記少なくとも二つの第二セルは少なくとも二つのセル・グローバル識別情報CGIと一対一対応にあり、各CGIは当該通信システムにおいて対応する第二セルを一意的に識別するために使われ、各第二基地局は構成情報を記憶しており、前記構成情報は、UEが前記第一基地局に測量参照信号SRSを送るときに使われる時間‐周波数資源を示すために使われる。図９に示されるように、基地局８００は、受信器８１０と、送信器８２０と、プロセッサ８３０と、メモリ８４０と、バス・システム８５０とを含む。前記受信器８１０、前記送信器８２０、前記プロセッサ８３０および前記メモリ８４０は前記バス・システム８５０を使って接続されている。前記メモリ８４０は命令を記憶するよう構成されており、前記プロセッサ８３０は前記メモリ８４０に記憶された命令を実行して、信号を受信するよう前記受信器８１０を制御し、信号を送るよう前記送信器８２０を制御するよう構成されている。
【０１２８】
プロセッサ８３０は、前記構成情報に基づいてUEの位置情報を取得するよう構成されている。
【０１２９】
送信器８２０は、前記位置情報を前記第一基地局に送るよう構成されており、UEによって送られたハンドオーバー要求を受信後に前記第一基地局が、前記ハンドオーバー要求において担持される目標第二セルの物理セル識別子PCIに対応する複数の第二セルから、前記位置情報に基づいて、UEがハンドオーバーされる必要のある目標第二セルを判別し、前記目標第二セルは前記少なくとも二つの第二基地局のうちの、前記目標第二セルに対応する基地局である。
【０１３０】
本発明のこの実施形態において、プロセッサ８３０は中央処理ユニット（central  processing  unit、略「CPU」）であってもよく、あるいはプロセッサ８３０は別の汎用プロセッサ、デジタル信号プロセッサ（DSP）、特定用途向け集積回路（ASIC）、フィールドプログラマブルゲートアレイ（FPGA）または別のプログラム可能な論理デバイス、離散的ゲートもしくはトランジスタ論理デバイス、離散的なハードウェア・コンポーネントなどであってもよい。汎用プロセッサはマイクロプロセッサであってもよく、あるいはプロセッサはいかなる通常のプロセッサなどであってもよい。
【０１３１】
メモリ８４０は読み出し専用メモリおよびランダムアクセスメモリを含んでいてもよく、命令およびデータをプロセッサ８３０に提供してもよい。メモリ８４０の一部はさらに、不揮発性ランダムアクセスメモリを含んでいてもよい。たとえば、メモリ８４０は、デバイスの型の情報をさらに記憶していてもよい。
【０１３２】
データ・バスに加えて、バス・システム８５０は、電力バス、制御バス、状態信号バスなどを含んでいてもよい。しかしながら、明瞭な記述のため、さまざまなバスは図ではバス・システム８５０としてマークされている。
【０１３３】
実装の際は、上記の方法の段階は、プロセッサ８３０におけるハードウェアの集積論理回路を使って、あるいはソフトウェアの形の命令を使って実装されてもよい。本発明の実施形態を参照して開示されたセル・ハンドオーバー方法の段階は、ハードウェア・プロセッサを使って直接実行されてもよく、あるいは前記プロセッサにおけるハードウェアとソフトウェア・モジュールとの組み合わせを使って実行されてもよい。ソフトウェア・モジュールは、ランダムアクセスメモリ、フラッシュメモリ、読み出し専用メモリ、プログラム可能型読み出し専用メモリまたは電気的に消去可能なプログラム可能型メモリまたはレジスタといった当技術分野において成熟した記憶媒体に位置されていてもよい。記憶媒体はメモリ８４０に位置される。プロセッサ８３０はメモリ８４０における情報を読み、プロセッサのハードウェアとの組み合わせにおいて上記の方法の段階を実行する。反復を避けるために、ここで再び詳細を述べることはしない。
【０１３４】
本発明のこの実施形態における基地局８００におけるユニットの上記およびその他の動作または機能は、本発明の実施形態において目標第二基地局によって実行される対応する手順を実装するために使われる。簡潔のため、ここで再び詳細を述べることはしない。
【０１３５】
したがって、PCI混乱が起こるとき、本発明のこの実施形態における基地局がユーザー装置の位置を判別し、ユーザー装置の位置情報を第一基地局に送る。それにより、第一基地局は目標セルを正しく判別できる。追加的な信号交換が必要とされないので、セル・ハンドオーバーは、遅延を増すことなく実施できる。
【０１３６】
図１０は、本発明のある実施形態に基づく制御ノード９００の概略的な構造図である。制御ノード９００は、第一基地局、少なくとも二つの基地局およびユーザー装置UEを含む通信システムにおいて構成され、前記第一基地局は第一セルに対応し、前記第一セルはUEのサービスするセルであり、前記少なくとも二つの基地局は少なくとも二つの第二セルに対応し、前記少なくとも二つの第二セルは前記第一セルの近傍セルであり、前記少なくとも二つの第二セルは少なくとも二つのセル・グローバル識別情報CGIと一対一対応にあり、各CGIは当該通信システムにおいて対応する第二セルを一意的に識別するために使われ、各第二基地局は構成情報を記憶しており、前記構成情報は、UEが前記第一基地局に測量参照信号SRSを送るときに使われる時間‐周波数資源を示すために使われる。図１０に示されるように、制御ノード９００は、受信器９１０と、送信器９２０と、プロセッサ９３０と、メモリ９４０と、バス・システム９５０とを含む。前記受信器９１０、前記送信器９２０、前記プロセッサ９３０および前記メモリ９４０は前記バス・システム９５０を使って接続されている。前記メモリ９４０は命令を記憶するよう構成されており、前記プロセッサ９３０は前記メモリ９４０に記憶された命令を実行して、信号を受信するよう前記受信器９１０を制御し、信号を送るよう前記送信器９２０を制御するよう構成されている。受信器９１０は、ハンドオーバー要求を受信するよう構成されており、前記ハンドオーバー要求は、前記UEが前記少なくとも二つの第二セルのうちの目標第二セルにハンドオーバーされることを要求することを示すために使われ、前記ハンドオーバー要求は前記目標第二セルの物理セル識別子PCIを担持する。
【０１３７】
プロセッサ９３０は、前記PCIが複数の第二セルに対応していることを判別するよう構成される。
【０１３８】
受信器９１０はさらに、前記UEの位置情報を受信するよう構成される。
【０１３９】
プロセッサ９３０はさらに、前記複数の第二セルのうちから前記目標第二セルを、前記位置情報に基づいて決定するよう構成される。
【０１４０】
本発明のこの実施形態において、プロセッサ９３０は中央処理ユニット（central  processing  unit、略「CPU」）であってもよく、あるいはプロセッサ９３０は別の汎用プロセッサ、デジタル信号プロセッサ（DSP）、特定用途向け集積回路（ASIC）、フィールドプログラマブルゲートアレイ（FPGA）または別のプログラム可能な論理デバイス、離散的ゲートもしくはトランジスタ論理デバイス、離散的なハードウェア・コンポーネントなどであってもよい。汎用プロセッサはマイクロプロセッサであってもよく、あるいはプロセッサはいかなる通常のプロセッサなどであってもよい。
【０１４１】
メモリ９４０は読み出し専用メモリおよびランダムアクセスメモリを含んでいてもよく、命令およびデータをプロセッサ９３０に提供してもよい。メモリ９４０の一部はさらに、不揮発性ランダムアクセスメモリを含んでいてもよい。たとえば、メモリ９４０は、デバイスの型の情報をさらに記憶していてもよい。
【０１４２】
データ・バスに加えて、バス・システム９５０は、電力バス、制御バス、状態信号バスなどを含んでいてもよい。しかしながら、明瞭な記述のため、さまざまなバスは図ではバス・システム９５０としてマークされている。
【０１４３】
実装の際は、上記の方法の段階は、プロセッサ９３０におけるハードウェアの集積論理回路を使って、あるいはソフトウェアの形の命令を使って実装されてもよい。本発明の実施形態を参照して開示されたセル・ハンドオーバー方法の段階は、ハードウェア・プロセッサを使って直接実行されてもよく、あるいは前記プロセッサにおけるハードウェアとソフトウェア・モジュールとの組み合わせを使って実行されてもよい。ソフトウェア・モジュールは、ランダムアクセスメモリ、フラッシュメモリ、読み出し専用メモリ、プログラム可能型読み出し専用メモリまたは電気的に消去可能なプログラム可能型メモリまたはレジスタといった当技術分野において成熟した記憶媒体に位置されていてもよい。記憶媒体はメモリ９４０に位置される。プロセッサ９３０はメモリ９４０における情報を読み、プロセッサのハードウェアとの組み合わせにおいて上記の方法の段階を実行する。反復を避けるために、ここで再び詳細を述べることはしない。
【０１４４】
本発明のこの実施形態における制御ノード９００におけるユニットの上記およびその他の動作または機能は、本発明の実施形態におけるセル・ハンドオーバー方法において制御ノードによって実行される対応する手順を実装するために使われる。簡潔のため、ここで再び詳細を述べることはしない。
【０１４５】
したがって、PCI混乱が起こるとき、本発明のこの実施形態における制御ノードは、UEの位置情報を取得することによって目標セルを正しく判別できる。追加的な信号交換が必要とされないので、セル・ハンドオーバーは、遅延を増すことなく実施できる。
【０１４６】
上記のプロセスにおけるシーケンス番号が本発明のさまざまな実施形態における実行シーケンスを意味するものではないことを理解しておくべきである。諸プロセスの実行順序は、それらのプロセスの機能および内部論理に従って決定されるべきであり、本発明の実施形態の実装プロセスに対するいかなる限定としても解釈されるべきではない。
【０１４７】
当業者は、本明細書に開示される実施形態において記載される例との関連で、ユニットおよびアルゴリズム段階は電子的なハードウェア、コンピュータ・ソフトウェアまたはそれらの組み合わせによって実装されうることを認識しうる。ハードウェアとソフトウェアの間の交換可能性を明瞭に記述するために、上記は一般に機能に基づくそれぞれの例の組成および段階を記述してきた。それらの機能がハードウェアまたはソフトウェアのどちらによって実行されるかは、技術的解決策の具体的な用途および設計上の制約条件に依存する。当業者は、それぞれの具体的な応用のために記載される機能を実装するために種々の方法を使いうるが、かかる実装が本発明の範囲を超えるものであると考えられるべきではない。
【０１４８】
簡便な記載のために、上記のシステム、装置およびユニットの詳細な作動プロセスについては、上記の方法実施形態における対応するプロセスが参照されてもよく、詳細が再び本稿に記載されていないことが、当業者によって明瞭に理解されうる。
【０１４９】
本願で提供されるいくつかの実施形態において、開示されるシステム、装置および方法が他の仕方で実装されてもよいことを理解しておくべきである。たとえば、記載される装置実施形態は単に例である。たとえば、ユニット分割は単に論理的な機能の分割であり、実際の実装では他の分割であってもよい。たとえば、複数のユニットまたはコンポーネントが組み合わされ、あるいは別のシステムに統合されてもよく、いくつかの特徴が無視され、あるいは実行されなくてもよい。さらに、表示されるまたは論じられる結合または直接結合または通信接続は、いくつかのインターフェースを通じて実装されてもよく、装置またはユニット間の間接的な結合もしくは通信接続であってもよく、あるいは電気接続、機械的接続または他の形の接続であってもよい。
【０１５０】
別個の部分として記述されているユニットは、物理的に別個であってもなくてもよく、ユニットとして表示されている部分は物理的な単位であってもなくてもよく、一つの位置に位置していてもよく、あるいは複数のネットワーク・ユニット上に分散されていてもよい。ユニットの一部または全部は、本発明の実施形態の解決策の目的を達成する実際の必要性に従って選択されうる。
【０１５１】
さらに、本発明の実施形態における機能ユニットは、一つの処理ユニットに統合されてもよく、あるいはユニットのそれぞれは物理的に単独で存在してもよく、あるいは二つ以上のユニットが一つのユニットに統合されてもよい。統合されたユニットはハードウェアの形で実装されてもよく、あるいはソフトウェア機能ユニットの形で実装されてもよい。
【０１５２】
統合されたユニットがソフトウェア機能ユニットの形で実装され、独立したプロダクトとして販売または使用されるとき、統合されたユニットはコンピュータ可読記憶媒体に記憶されてもよい。そのような理解に基づき、本発明の技術的解決策は本質的に、または該技術的解決策の従来技術に寄与する部分もしくは全部または一部は、ソフトウェア・プロダクトの形で実装されてもよい。ソフトウェア・プロダクトは記憶媒体に記憶され、本発明の実施形態において記載される方法の段階の全部または一部を実行するようコンピュータ装置（これはパーソナル・コンピュータ、サーバー、ネットワーク装置などであってもよい）に命令するためのいくつかの命令を含む。上記の記憶媒体は：USBフラッシュドライブ、リムーバブルハードディスク、読み出し専用メモリ（ROM、Read-Only  Memory）、ランダムアクセスメモリ（RAM、Random  Access  Memory）、磁気ディスクまたは光ディスクのような、プログラム・コードを記憶することのできる任意の媒体を含む。
【０１５３】
上記の記述は本発明の単に具体的な実施形態であり、本発明の保護範囲を限定することは意図されていない。本発明において開示された技術的範囲内で当業者によって容易に割り出されるいかなる修正または置換も、本発明の保護範囲にはいる。したがって、本発明の保護範囲は請求項の保護範囲に従う。
【図１】
2019519985.tif 000003
【図２】
2019519985.tif 000004
【図３】
2019519985.tif 000005
【図４】
2019519985.tif 000006
【図５】
2019519985.tif 000007
【図６】
2019519985.tif 000008
【図７】
2019519985.tif 000009
【図８】
2019519985.tif 000010
【図９】
2019519985.tif 000011
【図１０】
2019519985.tif 000012
【手続補正書】
【提出日】平成30年12月17日(2018.12.17)
【手続補正１】
【補正対象書類名】特許請求の範囲
【補正対象項目名】全文
【補正方法】変更
【補正の内容】
【特許請求の範囲】
【請求項１】
第一基地局、少なくとも二つの第二基地局およびユーザー装置（UE）を含む通信システムに適用されるセル・ハンドオーバー方法であって、前記第一基地局は第一セルに対応し、前記第一セルは前記UEのサービスするセルであり、前記少なくとも二つの第二基地局は少なくとも二つの第二セルに対応し、前記少なくとも二つの第二セルは前記第一セルの近傍セルであり、前記少なくとも二つの第二セルは少なくとも二つのセル・グローバル識別情報（CGI）と一対一対応にあり、各CGIは前記通信システムにおいて対応する第二セルを一意的に識別するために使われ、各第二基地局は構成情報を記憶しており、前記構成情報は、前記UEが前記第一基地局に測量参照信号（SRS）を送るときに使われる時間‐周波数資源を示すために使われ、当該方法は：
前記第一基地局によって、前記UEによって送られたハンドオーバー要求を受信する段階であって、前記ハンドオーバー要求は前記UEが前記少なくとも二つの第二セルのうちの目標第二セルにハンドオーバーされることを要求することを示すために使われ、前記ハンドオーバー要求は前記目標第二セルの物理セル識別子（PCI）を担持する、段階と；
前記第一基地局によって、前記PCIが複数の第二セルに対応していることを判別する段階と；
前記第一基地局によって、前記少なくとも二つの第二基地局のうちの前記目標第二セルに対応する目標第二基地局によって送られた前記UEの位置情報を受信する段階であって、前記位置情報は前記目標第二基地局によって、前記構成情報に基づいて取得される、段階と；
前記第一基地局によって、前記位置情報に基づいて前記複数の第二セルのうちから前記目標第二セルを判別する段階とを含む、
方法。
【請求項２】
前記位置情報は前記目標第二セルのCGIを担持し、
前記第一基地局によって、前記位置情報に基づいて前記複数の第二セルのうちから前記目標第二セルを判別する前記段階は：
前記第一基地局によって、前記CGIに基づいて前記複数の第二セルのうちから前記目標第二セルを判別することを含む、
請求項１記載の方法。
【請求項３】
前記第一基地局によって、前記少なくとも二つの第二基地局のうちの前記目標第二セルに対応する目標第二基地局によって送られた前記UEの位置情報を受信する前記段階の前に、当該方法は：
前記第一基地局によって、前記目標第二基地局に構成情報を送ることを含み、それにより前記目標第二基地局は該構成情報に基づいて前記UEの前記位置情報を取得し、該位置情報を前記第一基地局に送ることを含む、
請求項１または２記載の方法。
【請求項４】
第一基地局、少なくとも二つの第二基地局およびユーザー装置（UE）を含む通信システムに適用されるセル・ハンドオーバー方法であって、前記第一基地局は第一セルに対応し、前記第一セルは前記UEのサービスするセルであり、前記少なくとも二つの第二基地局は少なくとも二つの第二セルに対応し、前記少なくとも二つの第二セルは前記第一セルの近傍セルであり、前記少なくとも二つの第二セルは少なくとも二つのセル・グローバル識別情報（CGI）と一対一対応にあり、各CGIは前記通信システムにおいて対応する第二セルを一意的に識別するために使われ、各第二基地局は構成情報を記憶しており、前記構成情報は、前記UEが前記第一基地局に測量参照信号（SRS）を送るときに使われる時間‐周波数資源を示すために使われ、当該方法は：
前記少なくとも二つの第二基地局のうちの目標第二基地局によって、前記構成情報に基づいて前記UEの位置情報を取得する段階と；
前記目標第二基地局によって、前記位置情報を前記第一基地局に送る段階であって、前記UEによって送られたハンドオーバー要求を受信後に前記第一基地局は、前記ハンドオーバー要求において担持される目標第二セルの物理セル識別子（PCI）に対応する複数の第二セルから、前記位置情報に基づいて、前記UEがハンドオーバーされる必要のある前記目標第二セルを判別する、段階とを含み、
前記目標第二基地局は前記少なくとも二つの第二基地局のうちの、前記目標第二セルに対応する基地局である、
方法。
【請求項５】
前記位置情報は前記目標第二セルのCGIを担持し、前記第一基地局は、前記CGIに基づいて前記PCIに対応する前記複数の第二セルのうちから前記目標第二セルを判別する、請求項４記載の方法。
【請求項６】
前記少なくとも二つの第二基地局のうちの目標第二基地局によって、前記UEの位置情報を取得する前記段階の前に、当該方法はさらに：
前記目標第二基地局によって、前記第一基地局によって送られた構成情報を受信する段階を含み；
目標第二基地局によって、前記構成情報に基づいて前記UEの位置情報を取得する前記段階は：
前記目標第二基地局によって、前記構成情報によって示される時間‐周波数資源上でSRS信号検出を実行し；
前記目標第二基地局が前記時間‐周波数資源上でSRS信号を検出するときに、前記目標第二基地局によって前記UEの前記位置情報を取得することを含む、
請求項４または５記載の方法。
【請求項７】
制御ノード、第一基地局、少なくとも二つの第二基地局およびユーザー装置（UE）を含む通信システムに適用されるセル・ハンドオーバー方法であって、前記第一基地局は第一セルに対応し、前記第一セルは前記UEのサービスするセルであり、前記少なくとも二つの第二基地局は少なくとも二つの第二セルに対応し、前記少なくとも二つの第二セルは前記第一セルの近傍セルであり、前記少なくとも二つの第二セルは少なくとも二つのセル・グローバル識別情報（CGI）と一対一対応にあり、各CGIは前記通信システムにおいて対応する第二セルを一意的に識別するために使われ、各第二基地局は構成情報を記憶しており、前記構成情報は、前記UEが前記第一基地局に測量参照信号（SRS）を送るときに使われる時間‐周波数資源を示すために使われ、当該方法は：
前記制御ノードによってハンドオーバー要求を取得する段階であって、前記ハンドオーバー要求は、前記UEが前記少なくとも二つの第二セルのうちの目標第二セルにハンドオーバーされることを要求することを示すために使われ、前記ハンドオーバー要求は前記目標第二セルの物理セル識別子（PCI）を担持する、段階と；
前記制御ノードによって、前記PCIが複数の第二セルに対応していることを判別する段階と；
前記制御ノードによって、前記UEの位置情報を取得する段階と；
前記制御ノードによって、前記複数の第二セルのうちから前記目標第二セルを、前記位置情報に基づいて判別する段階とを含む、
方法。
【請求項８】
前記位置情報は前記目標第二セルのCGIを担持し、
前記制御ノードによって、前記複数の第二セルのうちから前記目標第二セルを、前記位置情報に基づいて判別する前記段階は：
前記制御ノードによって、前記複数の第二セルのうちから前記目標第二セルを、前記CGIに基づいて判別することを含む、
請求項７記載の方法。
【請求項９】
少なくとも二つの第二基地局およびユーザー装置（UE）を含む通信システムにおいて構成される基地局であって、当該基地局は第一セルに対応し、前記第一セルは前記UEのサービスするセルであり、前記少なくとも二つの第二基地局は少なくとも二つの第二セルに対応し、前記少なくとも二つの第二セルは前記第一セルの近傍セルであり、前記少なくとも二つの第二セルは少なくとも二つのセル・グローバル識別情報（CGI）と一対一対応にあり、各CGIは前記通信システムにおいて対応する第二セルを一意的に識別するために使われ、各第二基地局は構成情報を記憶しており、前記構成情報は、前記UEが当該基地局に測量参照信号（SRS）を送るときに使われる時間‐周波数資源を示すために使われ、当該基地局は：
前記UEによって送られたハンドオーバー要求を受信するよう構成された受信ユニットであって、前記ハンドオーバー要求は前記UEが前記少なくとも二つの第二セルのうちの目標第二セルにハンドオーバーされることを要求することを示すために使われ、前記ハンドオーバー要求は前記目標第二セルの物理セル識別子（PCI）を担持する、受信ユニットと；
前記PCIが複数の第二セルに対応していることを判別するよう構成された処理ユニットとを有しており、
前記受信ユニットはさらに、前記少なくとも二つの第二基地局のうちの前記目標第二セルに対応する目標第二基地局によって送られた前記UEの位置情報を受信するよう構成されており、前記位置情報は前記目標第二基地局によって、前記構成情報に基づいて取得され；
前記処理ユニットはさらに、前記位置情報に基づいて前記複数の第二セルのうちから前記目標第二セルを判別するよう構成されている、
基地局。
【請求項１０】
前記位置情報は前記目標第二セルのCGIを担持し、
前記処理ユニットは、前記目標第二セルの前記CGIに基づいて前記複数の第二セルのうちから前記目標第二セルを判別するよう構成されている、
請求項９記載の基地局。
【請求項１１】
当該基地局がさらに：
前記受信ユニットが、前記少なくとも二つの第二基地局のうちの前記目標第二セルに対応する前記目標第二基地局によって送られた前記UEの前記位置情報を受信する前に、前記目標第二基地局に構成情報を送るように構成されており、それにより前記目標第二基地局は該構成情報に基づいて前記UEの前記位置情報を取得し、該位置情報を当該基地局に送る、送信ユニットを有する、
請求項９または１０記載の基地局。
【請求項１２】
第一基地局、少なくとも二つの第二基地局およびユーザー装置（UE）を含む通信システムにおいて構成される基地局であって、前記第一基地局は第一セルに対応し、前記第一セルは前記UEのサービスするセルであり、前記少なくとも二つの第二基地局は少なくとも二つの第二セルに対応し、前記少なくとも二つの第二セルは前記第一セルの近傍セルであり、前記少なくとも二つの第二セルは少なくとも二つのセル・グローバル識別情報（CGI）と一対一対応にあり、各CGIは前記通信システムにおいて対応する第二セルを一意的に識別するために使われ、各基地局は構成情報を記憶しており、前記構成情報は、前記UEが前記第一基地局に測量参照信号（SRS）を送るときに使われる時間‐周波数資源を示すために使われ、当該基地局は：
前記構成情報に基づいて前記UEの位置情報を取得するよう構成された取得ユニットと；
前記位置情報を前記第一基地局に送るよう構成された送信ユニットであって、前記UEによって送られたハンドオーバー要求を受信後に前記第一基地局は、前記ハンドオーバー要求において担持される目標第二セルの物理セル識別子（PCI）に対応する複数の第二セルから、前記位置情報に基づいて、前記UEがハンドオーバーされる必要のある前記目標第二セルを判別する、送信ユニットとを有しており、
当該基地局は前記少なくとも二つの第二基地局のうちの、前記目標第二セルに対応する基地局である、
基地局。
【請求項１３】
前記位置情報は前記目標第二セルのCGIを担持し、前記第一基地局は、前記CGIに基づいて前記PCIに対応する前記複数の第二セルのうちから前記目標第二セルを判別する、請求項１２記載の基地局。
【請求項１４】
当該基地局がさらに：
前記取得ユニットが前記位置情報を取得する前に、前記第一基地局によって送られた構成情報を受信するよう構成された受信ユニットを有しており、
前記取得ユニットが、前記構成情報によって示される時間‐周波数資源上でSRS信号検出を実行するよう構成されており、
前記取得ユニットがさらに、前記時間‐周波数資源上でSRS信号が検出されるときに、前記UEの前記位置情報を取得するよう構成されている、
請求項１２または１３記載の基地局。
【請求項１５】
第一基地局、少なくとも二つの第二基地局およびユーザー装置（UE）を含む通信システムにおいて構成される制御ノードであって、前記第一基地局は第一セルに対応し、前記第一セルは前記UEのサービスするセルであり、前記少なくとも二つの第二基地局は少なくとも二つの第二セルに対応し、前記少なくとも二つの第二セルは前記第一セルの近傍セルであり、前記少なくとも二つの第二セルは少なくとも二つのセル・グローバル識別情報（CGI）と一対一対応にあり、各CGIは前記通信システムにおいて対応する第二セルを一意的に識別するために使われ、各第二基地局は構成情報を記憶しており、前記構成情報は、前記UEが前記第一基地局に測量参照信号（SRS）を送るときに使われる時間‐周波数資源を示すために使われ、当該制御ノードは：
ハンドオーバー要求を取得するよう構成された取得ユニットであって、前記ハンドオーバー要求は、前記UEが前記少なくとも二つの第二セルのうちの目標第二セルにハンドオーバーされることを要求することを示すために使われ、前記ハンドオーバー要求は前記目標第二セルの物理セル識別子（PCI）を担持する、取得ユニットと；
前記PCIが複数の第二セルに対応していることを判別するよう構成された処理ユニットとを有しており、
前記取得ユニットはさらに、前記UEの位置情報を取得するよう構成されており、
前記処理ユニットはさらに、前記複数の第二セルのうちから前記目標第二セルを、前記位置情報に基づいて判別するよう構成されている、
制御ノード。
【請求項１６】
前記位置情報は前記目標第二セルのCGIを担持し、
前記処理ユニットは、前記複数の第二セルのうちから前記目標第二セルを、前記CGIに基づいて判別するよう構成されている、
請求項１５記載の制御ノード。
【請求項１７】
コンピュータによって実行されたときに該コンピュータに請求項１ないし８のうちいずれか一項記載の方法を実行させる命令を有するコンピュータ可読記憶媒体。
【請求項１８】
コンピュータに請求項１ないし８のうちいずれか一項記載の方法を実行させるプログラム。
【手続補正２】
【補正対象書類名】明細書
【補正対象項目名】全文
【補正方法】変更
【補正の内容】
【発明の詳細な説明】
【技術分野】
【０００１】
本発明は通信分野に、さらにはセル・ハンドオーバー方法、基地局および制御ノードに関する。
【背景技術】
【０００２】
ロングタームエボリューション（LTE）プロトコルにおいて規定されているように、ユーザー装置（UE）は、ハンドオーバー・プロセスの間に、目標セルの物理セル識別子（PCI）を、サービスする基地局（またはソース基地局）に報告する必要がある。サービスする基地局は、UEによって報告される目標セルのPCIに基づいて目標セルを判別し、セル・ハンドオーバーを実施するようハンドオーバー命令を送る。しかしながら、既存のLTEシステムでは、限られたPCI資源がある。LTEシステムは504個のPCIしか提供しない。結果として、実際の応用では、あるセルの異なる近傍セルがPCIを共有することがある、つまりPCIの混乱が起こる。この場合、サービスする基地局がUEによって報告された目標セルのPCIを受信するとき、報告されたPCIが複数の隣接セルに対応していれば、サービスする基地局は、該PCIに基づいてUEのために正しい目標セルを選択することができない。換言すれば、サービスする基地局は、同じPCIをもつ複数の近傍のセルから、UEがハンドオーバーされる必要のある目標セルを正しく選択することができない。
【０００３】
従来技術では、ハンドオーバー・プロセスにおけるUEのPCI混乱問題を解決するために、基地局は、目標セルのセル・グローバル識別情報（CGI）を読むためのUEのためのパラメータを構成する。CGIはセルを一意的に特定できるので、基地局は、目標セルのCGIを取得することにより、同じPCIをもつ諸セルから、UEがハンドオーバーされる必要のある目標セルを正しく選択することができる。
【０００４】
しかしながら、CGIを読むことは、UEが測定レポートを報告した後に、基地局によって、UEについて有効化される必要がある。追加的な信号交換が必要とされるため、セル・ハンドオーバー遅延が増す。
【発明の概要】
【０００５】
本願は、PCI混乱が起きるときに、遅延を増すことなく、目標セルが判別されることができ、セル・ハンドオーバーが実施されることができるよう、セル・ハンドオーバー方法、基地局および制御ノードを提供する。
【０００６】
第一の側面によれば、本願は、第一基地局、少なくとも二つの第二基地局およびユーザー装置UEを含む通信システムに適用されるセル・ハンドオーバー方法であって、前記第一基地局は第一セルに対応し、前記第一セルはUEのサービスするセルであり、前記少なくとも二つの第二基地局は少なくとも二つの第二セルに対応し、前記少なくとも二つの第二セルは前記第一セルの近傍セルであり、前記少なくとも二つの第二セルは少なくとも二つのセル・グローバル識別情報CGIと一対一対応にあり、各CGIは当該通信システムにおいて対応する第二セルを一意的に識別するために使われ、各第二基地局は構成情報を記憶しており、前記構成情報は、UEが前記第一基地局に測量参照信号SRSを送るときに使われる時間‐周波数資源を示すために使われ、当該方法は：前記第一基地局によって、前記UEによって送られたハンドオーバー要求を受信する段階であって、前記ハンドオーバー要求は前記UEが前記少なくとも二つの第二セルのうちの目標第二セルにハンドオーバーされることを要求することを示すために使われ、前記ハンドオーバー要求は前記目標第二セルの物理セル識別子PCIを担持する、段階と；前記第一基地局によって、前記PCIが複数の第二セルに対応していることを判別する段階と；前記第一基地局によって、前記少なくとも二つの第二基地局のうちの前記目標第二セルに対応する目標第二基地局によって送られた前記UEの位置情報を受信する段階であって、前記位置情報は前記目標第二基地局によって、前記構成情報に基づいて取得される、段階と；前記第一基地局によって、前記位置情報に基づいて前記複数の第二セルのうちから前記目標第二セルを判別する段階とを含む、方法を提供する。
【０００７】
従来技術では、UEがソース基地局（または現在のサービスする基地局）に目標セルのPCIを報告した後、PCI混乱が生じる場合、ソース基地局は、目標セルのCGIを読むためのUEのためのパラメータを構成する。CGIはグローバルにセルを一意的に特定できるので、目標セルのCGIを取得した後、ソース基地局は、混乱を引き起こすことなく、目標セルを一意的に決定できる。しかしながら、CGIを読むことをサービスする基地局が可能にするプロセスにおいて、追加的な信号交換が必要とされ、結果としてハンドオーバー遅延が増す。
【０００８】
本発明のこの実施形態では、サービスする基地局は目標基地局（すなわち、UEがそこにハンドオーバーされる必要のある基地局）に、UEがサービスする基地局に上りリンク測量参照信号SRSを送るときに使われる時間‐周波数資源の構成情報を送り、それにより、目標基地局は、該構成情報によって示される時間‐周波数資源上で、UEによってサービスする基地局に送られたSRS信号に対する検出を実行することができる。UEがその信号を検出できる場合、UEは「UEが接近中」というUEの位置情報を取得し、UEの情報をサービスする基地局に報告する。それにより、基地局はユーザー装置UEの位置を決定することに参加する。したがって、サービスする基地局は、UEが接近中である目標セルを知ることができる。このようにして、サービスする基地局は、目標セルのCGIを読むためのUEのためのパラメータを構成する必要なしに、UEがハンドオーバーされる必要のある目標セルを決定することができる。従来技術に比べて、追加的な信号交換が必要とされず、遅延が短縮される。
【０００９】
任意的に、第一の側面の第一の実装において、前記位置情報は目標第二セルのCGIを担持し、前記第一基地局によって、前記位置情報に基づいて前記複数の第二セルのうちから前記目標第二セルを判別する前記段階は：前記第一基地局によって、前記CGIに基づいて前記複数の第二セルのうちから前記目標第二セルを判別することを含む。
【００１０】
任意的に、第一の側面の第二の実装において、前記第一基地局によって、前記少なくとも二つの第二基地局のうちの前記目標第二セルに対応する目標第二基地局によって送られた前記UEの位置情報を受信する前記段階の前に、本方法は：前記第一基地局によって、前記目標第二基地局に構成情報を送り、それにより前記目標第二基地局が該構成情報に基づいてUEの前記位置情報を取得し、該位置情報を前記第一基地局に送ることを含む。
【００１１】
第二の側面によれば、本願は、第一基地局、少なくとも二つの第二基地局およびユーザー装置UEを含む通信システムに適用されるセル・ハンドオーバー方法であって、前記第一基地局は第一セルに対応し、前記第一セルはUEのサービスするセルであり、前記少なくとも二つの第二基地局は少なくとも二つの第二セルに対応し、前記少なくとも二つの第二セルは前記第一セルの近傍セルであり、前記少なくとも二つの第二セルは少なくとも二つのセル・グローバル識別情報CGIと一対一対応にあり、各CGIは当該通信システムにおいて対応する第二セルを一意的に識別するために使われ、各第二基地局は構成情報を記憶しており、前記構成情報は、UEが前記第一基地局に測量参照信号SRSを送るときに使われる時間‐周波数資源を示すために使われ、当該方法は：前記少なくとも二つの第二基地局のうちの目標第二基地局によって、前記構成情報に基づいてUEの位置情報を取得する段階と；前記目標第二基地局によって、前記位置情報を前記第一基地局に送る段階であって、UEによって送られたハンドオーバー要求を受信後に前記第一基地局が、前記ハンドオーバー要求において担持される目標第二セルの物理セル識別子PCIに対応する複数の第二セルから、前記位置情報に基づいて、UEがハンドオーバーされるべき目標第二セルを判別し、前記目標第二セルは前記少なくとも二つの第二基地局のうちの、前記目標第二セルに対応する基地局である、段階とを含む、
方法を提供する。
【００１２】
任意的に、第二の側面の第一の実装において、前記位置情報は目標第二セルのCGIを担持し、前記第一基地局は、前記CGIに基づいて前記PCIに対応する前記複数の第二セルのうちから前記目標第二セルを判別する。
【００１３】
任意的に、第二の側面の第二の実装において、前記少なくとも二つの第二基地局のうちの目標第二基地局によって、UEの位置情報を取得する前記段階の前に、本方法はさらに：前記目標第二基地局によって、前記第一基地局によって送られた構成情報を受信する段階を含み；目標第二基地局によって、前記構成情報に基づいてUEの位置情報を取得する前記段階は：前記目標第二基地局によって、前記構成情報によって示される時間‐周波数資源上でSRS信号検出を実行し；前記目標第二基地局が前記時間‐周波数資源上でSRS信号を検出するときに、前記目標第二基地局によってUEの前記位置情報を取得することを含む。
【００１４】
第三の側面によれば、制御ノード、第一基地局、少なくとも二つの第二基地局およびユーザー装置UEを含む通信システムに適用されるセル・ハンドオーバー方法であって、前記第一基地局は第一セルに対応し、前記第一セルはUEのサービスするセルであり、前記少なくとも二つの第二基地局は少なくとも二つの第二セルに対応し、前記少なくとも二つの第二セルは前記第一セルの近傍セルであり、前記少なくとも二つの第二セルは少なくとも二つのセル・グローバル識別情報CGIと一対一対応にあり、各CGIは当該通信システムにおいて対応する第二セルを一意的に識別するために使われ、各第二基地局は構成情報を記憶しており、前記構成情報は、UEが前記第一基地局に測量参照信号SRSを送るときに使われる時間‐周波数資源を示すために使われ、当該方法は：前記制御ノードによってハンドオーバー要求を取得する段階であって、前記ハンドオーバー要求は、前記UEが前記少なくとも二つの第二セルのうちの目標第二セルにハンドオーバーされることを要求することを示すために使われ、前記ハンドオーバー要求は前記目標第二セルの物理セル識別子PCIを担持する、段階と；前記制御ノードによって、前記PCIが複数の第二セルに対応していることを判別する段階と；前記制御ノードによって、前記UEの位置情報を取得する段階と；前記制御ノードによって、前記複数の第二セルのうちから前記目標第二セルを、前記位置情報に基づいて決定する段階とを含む、
方法が提供される。
【００１５】
任意的に、第三の側面の第一の実装において、前記位置情報は目標第二セルのCGIを担持し、前記制御ノードによって、前記複数の第二セルのうちから前記目標第二セルを、前記位置情報に基づいて決定する段階は：前記制御ノードによって、前記複数の第二セルのうちから前記目標第二セルを、前記CGIに基づいて決定することを含む。
【００１６】
任意的に、第三の側面の第二の実装において、前記制御ノードはアクセス・ゲートウェイ（AG）である。
【００１７】
第四の側面によれば、本願は、前記第一の側面または前記第一の側面の可能な実装のうちの任意のものにおける方法を実行するよう構成された基地局を提供する。前記基地局は、前記第一の側面または前記第一の側面の可能な実装のうちの任意のものにおける方法を実行するよう構成されたユニットを含む。
【００１８】
第五の側面によれば、本願は、前記第二の側面または前記第二の側面の可能な実装のうちの任意のものにおける方法を実行するよう構成された基地局を提供する。前記基地局は、前記第二の側面または前記第二の側面の可能な実装のうちの任意のものにおける方法を実行するよう構成されたユニットを含む。
【００１９】
第六の側面によれば、本願は、前記第三の側面または前記第三の側面の可能な実装のうちの任意のものにおける方法を実行するよう構成された制御ノードを提供する。前記制御ノードは、前記第三の側面または前記第三の側面の可能な実装のうちの任意のものにおける方法を実行するよう構成されたユニットを含む。
【００２０】
第七の側面によれば、本願は基地局を提供し、前記基地局は、受信器と、送信器と、プロセッサと、メモリと、バス・システムとを含む。前記受信器、前記送信器、前記プロセッサおよび前記メモリは前記バス・システムを使って接続されている。前記メモリは命令を記憶するよう構成されており、前記プロセッサは前記メモリに記憶された命令を実行して、信号を受信するよう前記受信器を制御し、信号を送るよう前記送信器を制御するよう構成されている。前記プロセッサが前記メモリに記憶されている命令を実行するとき、該実行により、前記プロセッサは、前記第一の側面または前記第一の側面の可能な実装のうちの任意のものにおける方法を実行する。
【００２１】
第八の側面によれば、本願は基地局を提供し、前記基地局は、受信器と、送信器と、プロセッサと、メモリと、バス・システムとを含む。前記受信器、前記送信器、前記プロセッサおよび前記メモリは前記バス・システムを使って接続されている。前記メモリは命令を記憶するよう構成されており、前記プロセッサは前記メモリに記憶された命令を実行して、信号を受信するよう前記受信器を制御し、信号を送るよう前記送信器を制御するよう構成されている。前記プロセッサが前記メモリに記憶されている命令を実行するとき、該実行により、前記プロセッサは、前記第二の側面または前記第二の側面の可能な実装のうちの任意のものにおける方法を実行する。
【００２２】
第九の側面によれば、本願は制御ノードを提供し、前記制御ノードは、受信器と、送信器と、プロセッサと、メモリと、バス・システムとを含む。前記受信器、前記送信器、前記プロセッサおよび前記メモリは前記バス・システムを使って接続されている。前記メモリは命令を記憶するよう構成されており、前記プロセッサは前記メモリに記憶された命令を実行して、信号を受信するよう前記受信器を制御し、信号を送るよう前記送信器を制御するよう構成されている。前記プロセッサが前記メモリに記憶されている命令を実行するとき、該実行により、前記プロセッサは、前記第三の側面または前記第三の側面の可能な実装のうちの任意のものにおける方法を実行する。
【００２３】
第十の側面によれば、本願は、コンピュータ・プログラムを記憶するよう構成されているコンピュータ可読媒体を提供する。ここで、前記コンピュータ・プログラムは、前記第一の側面または前記第一の側面の可能な実装のうちの任意のものにおける方法を実行するために使われる命令を含む。
【００２４】
第十一の側面によれば、本願は、コンピュータ・プログラムを記憶するよう構成されているコンピュータ可読媒体を提供する。ここで、前記コンピュータ・プログラムは、前記第二の側面または前記第二の側面の可能な実装のうちの任意のものにおける方法を実行するために使われる命令を含む。
【００２５】
第十二の側面によれば、本願は、コンピュータ・プログラムを記憶するよう構成されているコンピュータ可読媒体を提供する。ここで、前記コンピュータ・プログラムは、前記第三の側面または前記第三の側面の可能な実装のうちの任意のものにおける方法を実行するために使われる命令を含む。
【００２６】
本願で提供される技術的解決策においては、基地局がユーザー装置の位置を判別することに参加し、それにより目標セルPCI混乱が生じるとき、基地局はユーザー装置の位置情報に基づいて、同じPCIをもつ複数のセルのうちから目標セルを決定し、遅延を増すことなくハンドオーバーを実装することができる。
【図面の簡単な説明】
【００２７】
本発明の実施形態における技術的解決策をより明瞭に記述するために、下記は本発明の実施形態を記述するために必要とされる付属の図面を簡単に説明する。明らかに、以下の記述における付属の図面は単に本発明のいくつかの実施形態を示すものであり、当業者は創造的な努力なしにこれらの付属の図面からさらに他の図面を導出しうる。
【００２８】
【図１】本発明のある実施形態におけるセル・ハンドオーバー方法が適用されうる適用シナリオの概略図である。
【００２９】
【図２】PCI混乱の概略図である。
【００３０】
【図３】本発明のある実施形態に基づくセル・ハンドオーバー方法の概略的な対話図である。
【００３１】
【図４】本発明のもう一つの実施形態に基づくセル・ハンドオーバー方法の概略的な対話図である。
【００３２】
【図５】本発明のある実施形態に基づく基地局の概略的なブロック図である。
【００３３】
【図６】本発明のもう一つの実施形態に基づく基地局の概略的なブロック図である。
【００３４】
【図７】本発明のさらにもう一つの実施形態に基づく制御ノードの概略的なブロック図である。
【００３５】
【図８】本発明のある実施形態に基づく基地局の概略的な構造図である。
【００３６】
【図９】本発明のもう一つの実施形態に基づく基地局の概略的な構造図である。
【００３７】
【図１０】本発明のさらにもう一つの実施形態に基づく制御ノードの概略的な構造図である。
【発明を実施するための形態】
【００３８】
下記は、本発明の実施形態における付属の図面を参照して本発明の実施形態における技術的解決策を明瞭に記述する。明らかに、記載される実施形態は本発明の実施形態の全部ではなく、一部である。創造的努力なしに本発明の実施形態に基づいて当業者によって得られる他のすべての実施形態は、本発明の保護範囲内にはいる。
【００３９】
本発明の技術的解決策は、グローバル移動通信システム（GSM）システム、符号分割多重アクセス（CDMA）システム、ワイドバンド符号分割多重アクセス（WCDMA）システム、一般パケット無線サービス（GPRS）システム、ロングタームエボリューション（LTE）システム、LTE周波数分割複信（FDD）システム、LTE時分割複信（TDD）システムおよび万国移動通信システム（UMTS）のようなさまざまな通信システムに適用されうることを理解しておくべきである。
【００４０】
また、本発明の実施形態では、ユーザー装置（UE）は端末、移動局（MS）、モバイル端末などと称されうることも理解しておくべきである。ユーザー装置は、無線アクセス・ネットワーク（RAN）を通じて一つまたは複数のコア・ネットワークと通信してもよい。たとえば、ユーザー装置は携帯電話（「セルラー」電話とも称される）またはモバイル端末をもつコンピュータであってもよい。たとえば、ユーザー装置は、ポータブル、ポケットサイズ、ハンドヘルド、コンピュータ組み込みまたは車載のモバイル装置であって、無線アクセス・ネットワークと音声および／またはデータを交換するものであってもよい。
【００４１】
本発明の実施形態において、基地局は、GSMまたはCDMAにおけるベース・トランシーバー・ステーション（BTS）であってもよく、WCDMAにおけるノードB（NodeB、NB）であってもよく、あるいはLTEにおける進化型ノードB（eNBまたはe-NodeB）であってもよい。これは本発明において限定されない。
【００４２】
本発明の実施形態におけるハンドオーバー方法は、マクロ基地局の間でのUEのハンドオーバー、マイクロ基地局の間でのUEのハンドオーバーおよびマクロ基地局とマイクロ基地局の間でのUEのハンドオーバーに適用可能であることも理解しておくべきである。理解および記述の容易のために、本発明の実施形態では、本発明の実施形態におけるセル・ハンドオーバー方法を記述するために、UEがマクロ基地局からマイクロ基地局にハンドオーバーされることだけが例として使われる。
【００４３】
本発明の実施形態において、第一基地局はマクロ基地局であってもよく、対応して第一セルはマクロセルであってもよい。第二基地局はマイクロ基地局、ピコ基地局、フェムト基地局などであってもよい。対応して第二セルはマイクロセル、ピコセルまたはフェムトセルであってもよい。これは、本発明の実施形態において限定されない。
【００４４】
本発明の実施形態において、数「第一」および「第二」は単に異なる対象の間の区別をするために、たとえば異なる基地局またはセルの間の区別をするために使われているのであって、本発明の実施形態の保護範囲に対して何の限定もなすべきではないことを注意しておくべきである。
【００４５】
図１は、本発明のある実施形態におけるセル・ハンドオーバー方法が適用されうる適用シナリオを示している。図１に示されるように、このシナリオでは、マクロ基地局Aおよび複数（図１では六個）のマイクロ基地局がある。マクロ基地局は一つのセル（区別および説明の簡単のため、以下ではマクロセルと称される）に対応する。各マイクロ基地局は一つのセルに対応し、マクロセルのカバレッジ・エリア内である。マイクロ基地局Bおよびマイクロ基地局Cの物理セル識別子PCIはいずれも100である。
【００４６】
PCIは主要同期信号（PSS）および副次同期信号（SSS）を含むことを注意しておくべきである。LTEでは、端末は異なるPCIに基づいて無線信号の間の区別をする。既存のLTEでは、0から503の範囲の値をもつ合計504個のPCIが提供されている。
【００４７】
通例、PCIは実際の状況に基づいてエリア内で計画され、次いで諸基地局のために構成される必要がある。PCIが適正に計画されるとき、エリア内の各セルが異なるPCIを使うことが保証されうる。しかしながら、PCIが適正に計画されない場合には、PCI混乱が起こることがある。
【００４８】
PCI混乱とは、あるセルの近傍セルにおける二つ以上の周波数内セルが同じPCIを使い、結果として、サービスするセルがこれらの近傍セル（すなわち、サービスするセルに隣接するセル）の間の区別をすることができないことを意味する。
【００４９】
図２は、PCI混乱の概略図である。図２に示されるように、ユーザー装置UEの現在のサービスするセルがセルAであり、セルAが三つの近傍セル：セルB、セルCおよびセルDをもつとする。セルAのPCI値は101であり、セルBおよびセルCのPCI値はいずれも102であり、セルDのPCI値は103である。LTEプロトコルでは、ハンドオーバー・プロセスにおいて、UEはまず、サービスするセルの複数の近傍セルに対する測定を実行して、前記複数の近傍セルから目標セルを選択し、該目標セルのPCIを基地局に報告する。サービスする基地局は、UEによって送られた目標セルのPCIに基づいて、前記複数の近傍セルのうちから目標セルを判別する。それにより、UEはサービスするセルから目標セルにハンドオーバーされる。図２では、UEによって選択された目標セルがセルBであるとすると、UEによってサービスする基地局に報告された目標セルのPCIは102である。しかしながら、単にこのPCIに基づくだけでは、サービスする基地局は、UEがハンドオーバーされる必要のある目標セルがセルBであるのかセルCであるのか判別することができない。この場合がPCI混乱と称される。
【００５０】
従来技術では、PCI混乱が起こるとき、サービスする基地局がUEがハンドオーバーされる必要のある目標セルを正しく判別できるようにするために、二つの仕方が使われる。一方の仕方は次のようなものである：eNBの近傍セル管理プロセスにおいて、eNBが自分が同じPCIをもつ二つの近傍セルをもつことを見出す場合、eNBはアラームをトリガーする。eNBは該アラームを使うことによって、管理人員に、手動でPCIを修正するまたはPCIを割り当て直すよう指示する。明らかに、この仕方は高い労働コストを要求する。さらに、PCI修正は既存のネットワーク計画に影響することがありうる。他方の仕方は次のようなものである：ハンドオーバー・プロセスにおいて、PCI混乱が起こる場合、サービスする基地局はCGIを読むUEのためのパラメータを構成する。CGIは、セルのセル・グローバル識別情報であり、セルを一意的に特定できる。したがって、CGIを読むことによって、目標セルのセル識別子IDおよびeNBの識別子IDが取得されることができ、それにより目標セルが見出される。しかしながら、CGIを読むためには、サービスする基地局は、UEによって送られた測定報告を受信後、UEのためのパラメータを構成する必要がある。これは遅延を増し、通話途絶リスクをもたらし、ユーザー経験に影響する。さらに、CGIを読むために、UEは、不連続受信（Discontinuous  Reception、DRX）モードに構成される必要がある。しかしながら、DRXは中断されることがある。すなわち、これは読みの失敗のリスクがありえ、ハンドオーバー失敗を引き起こしうる。PCI混乱のための既存の技術的解決策では、追加的な信号交換プロセスが要求され、ハンドオーバー遅延が増すことがわかる。
【００５１】
本発明のこの実施形態では、セル・ハンドオーバー方法は複数のシナリオに適用されうる。たとえば、制御ノードのない周波数内マクロおよびマイクロ・カバレッジ・シナリオ（すなわち、シナリオ１）では、一つのマクロ基地局および複数のマイクロ基地局ならびに比較的大量の近傍セルがある。もう一つの例として、制御ノードのある周波数内マクロおよびマイクロ・カバレッジ・シナリオ（すなわち、シナリオ２）では、一つのマクロ基地局および複数のマイクロ基地局ならびに比較的大量の近傍セルがある。
【００５２】
図３および図４を参照して、下記ではシナリオ１およびシナリオ２における本発明のこの実施形態におけるセル・ハンドオーバー方法の適用を詳述する。
【００５３】
シナリオ１。
【００５４】
図３は、本発明のある実施形態に基づくセル・ハンドオーバー方法の概略的な対話図である。図３に示されるように、本方法は下記の段階を含む。
【００５５】
２０１。マクロ基地局が、UEによって送られたハンドオーバー要求を受信する。前記ハンドオーバー要求は目標第二セルのPCIを担持する。
【００５６】
セル測定を実行後、UEは該UEがハンドオーバーされるべき目標セルのPCIを決定する。次いで、UEはサービスする基地局にハンドオーバー要求を送り、サービスする基地局に測定結果を報告する。UEがセル測定を実行して測定結果を報告するプロセスは、従来技術におけるものと同じである。簡単のため、ここで詳細を記述することはしない。
【００５７】
マクロ基地局（つまり、第一基地局の例）はUEによって送られたハンドオーバー要求を受信する。ここで、ハンドオーバー要求は、UEが、サービスするセルから目標セルにハンドオーバーされることを要求していることを示すために使われ、ハンドオーバー要求は目標セルのPCIを担持する。
【００５８】
２０２。マクロ基地局が、前記PCIが複数の第二セルに対応していることを判別する。
【００５９】
図１に示される適用シナリオを参照するに、ハンドオーバー要求に担持されている目標セルのPCIが100であれば、PCIが100である二つのセルがある。すなわち、マイクロ基地局Bおよびマイクロ基地局Cに対応するセルである。この場合、マクロ基地局は、PCI＝100に基づいて、UEがハンドオーバーされる必要があるのがマイクロ基地局Bに対応するセルであるのかマイクロ基地局Cに対応するセルであるのか決定することができない。
【００６０】
２０３。マクロ基地局が、目標マイクロ基地局によって送られた前記UEの位置情報を受信する。
【００６１】
ここでの目標マイクロ基地局とは、マクロ基地局のカバレッジ・レンジ内の複数の近傍セルにおける前記目標セルに対応するマイクロ基地局であることを理解しておくべきである。
【００６２】
UEの位置情報は、構成情報に基づいて目標マイクロ基地局（すなわち、目標第二基地局の例）によって取得される。構成情報は、UEがマクロ基地局に測量参照信号（SRS）を送るときに使われる時間‐周波数資源を示すために使われる。
【００６３】
任意的に、本発明のこの実施形態において、各マイクロ基地局は前記構成情報を記憶している。前記構成情報によって示される時間‐周波数資源（区別および理解の簡単のため、以下では時間‐周波数資源#Aと称される）に基づいて、すべてのマイクロ基地局は時間‐周波数#A上でSRS信号検出を実行する。
【００６４】
マイクロ基地局Cが時間‐周波数資源#A上でSRS信号を検出できない場合、そのことは、「UEが去った」または「UEはまだ遠い」ことを示す。よって、UEがハンドオーバーされる必要のあるセルは、マイクロ基地局Cに対応するセルではない。
【００６５】
マイクロ基地局Bが時間‐周波数資源#A上でSRS信号を受信する場合、そのことは、「UEが接近中である」または「UEがマイクロ基地局Bに対応するセル内にはいっている」ことを示す。この場合、マイクロ基地局Bは、UEの前記位置情報を取得する。
【００６６】
任意的に、マイクロ基地局によって送られた位置情報を受信する前に、マクロ基地局はまた、前記構成情報をすべてのマイクロ基地局に送ってもよい。
【００６７】
本発明のこの実施形態では、構成情報は、マイクロ基地局によって事前に記憶されていてもよく、あるいはマクロ基地局がUEのハンドオーバー要求を受信した後にマクロ基地局から各マイクロ基地局に送られてもよい。このようにして、各マイクロ基地局は、UEが当該マイクロ基地局に接近しつつあるかどうかを判定するよう、前記構成情報によって示される時間‐周波数資源に基づいて信号検出を実行しうる。
【００６８】
簡潔のため、図３の概略的な対話図には目標マイクロ基地局しか示されていないことを注意しておくべきである。実際には、本発明のこの実施形態において、マクロ基地局は構成情報を、マクロセルのカバレッジ・エリア内のすべてのマイクロ基地局に送る。たとえば、図２において、セルAに対応する基地局が構成情報を、すべての近傍セル（すなわち、セルB、セルCおよびセルD）に対応する基地局に送る。換言すれば、セルB、セルCおよびセルDにそれぞれ対応する基地局は構成情報を受信し、構成情報によって示される時間‐周波数資源上でSPS信号検出を実行する。
【００６９】
本発明のこの実施形態では、マクロ基地局が一つのUEの構成情報を送る例のみを使って記述が提供されていることも注意しておくべきである。マクロ基地局に対応するマクロセルのカバレッジ・エリア内に複数のUEがあるときは、マクロ基地局によって生成された構成情報は、前記複数のUEがSRS情報をマクロ基地局に送るときに使われる諸時間‐周波数資源を含むことが理解されうる。
【００７０】
本発明のこの実施形態において、構成情報はマクロ基地局によって生成される（または構成される）。加えて、マクロ基地局が構成情報を生成するプロセスは、従来技術におけるものと同じである。詳細をここで述べることはしない。
【００７１】
本発明のこの実施形態では、UEの位置情報は「UEが接近中である」という情報であることを注意しておくべきである。
【００７２】
マイクロ基地局が前記時間‐周波数資源上でUEによってマクロ基地局に送られたSRS信号を受信した後、マイクロ基地局は、該SRS信号をデコードすることによって、SRS信号を送っているUEを知りうることを理解しておくべきである。換言すれば、本発明のこの実施形態では、マクロ基地局は、各UEが他のどのUEによって使われるものとも異なる時間‐周波数資源を使うよう、異なるUEについての異なる時間‐周波数資源を構成してもよい。マクロ基地局は、各マイクロ基地局に構成情報を送る。マイクロ基地局は、構成情報によって示される時間‐周波数資源に基づいてSRS信号検出を実行する。マイクロ基地局がある時間‐周波数資源上でSRS信号を受信するとき、マイクロ基地局は、UEと時間‐周波数資源との間の対応に基づいて、その時間‐周波数資源上でSRS信号を送っているUEを知り、次いで、そのUEの位置情報をマクロ基地局に送ることができる。あるいはまた、マクロ基地局は、異なるUEについて同じ時間‐周波数資源を構成して、異なるUEの間の区別を符号分割式に行なってもよい。このようにして、マイクロ基地局は、受信されたSRS信号をデコードすることによって、SRS信号を送っているUEを判別し、そのUEの位置情報をマクロ基地局に送ることができる。
【００７３】
２０４。マクロ基地局が、前記位置情報に基づいて、UEによって報告されたPCIに対応する複数のセルのうちから目標セルを判別する。
【００７４】
マイクロ基地局Bによって送られたUEの位置情報を受信した後、マクロ基地局は、UEが接近しつつあるマイクロ基地局はマイクロ基地局Bであることを知りうる。したがって、UEがハンドオーバーされる必要のある目標セルは、マイクロ基地局Bに対応するセルである。このようにして、マクロ基地局は、マイクロ基地局Bおよびマイクロ基地局Cのうちから、目標マイクロ基地局はマイクロ基地局Cではなくマイクロ基地局Bであることを判別できる。換言すれば、ひとたびマイクロ基地局Bが決定されたら、マイクロ基地局Bに対応するセルが目標セルであることが判別される。
【００７５】
本発明のこの実施形態において、複数のマイクロ基地局がUEによってマクロ基地局に送られたSRS信号を同時に検出してUEの位置情報をマクロ基地局に送る場合、マクロ基地局は、前記複数のセルのうちから、各マイクロ基地局によって受信されたSRS信号の強度、品質などに基づいて、UEがハンドオーバーされる必要のある目標セルを選択しうることを理解しておくべきである。
【００７６】
たとえば、引き続き図１を参照するに、マイクロ基地局Bおよびマイクロ基地局Cの両方がUEによってマクロ基地局に送られたSRS信号を検出して、「UEが接近中である」という位置情報をマクロ基地局に送るとする。この場合、マイクロ基地局Bおよびマイクロ基地局Cによってマクロ基地局に送られる位置情報は、受信されたSRS信号の強度、品質などを担持する。UEはマイクロ基地局Bに連続的に接近しつつあるので、比較すると、マイクロ基地局Bによって受信されるSRS信号の強さはマイクロ基地局Cによって受信されるSRS信号の強さよりも大きいはずであることを理解しておくべきである。この場合、マクロ基地局はまた、マイクロ基地局Bおよびマイクロ基地局Cのうちから、それらのマイクロ基地局によって受信されたSRS信号の強度、品質などを参照して、より大きな強度をもつSRS信号を受信するマイクロ基地局Bを、目標マイクロ基地局として決定してもよい。このようにして、目標セルが決定される。
【００７７】
任意的に、ある実施形態では、位置情報は目標セルのCGIを担持する。
【００７８】
本発明のこの実施形態では、目標基地局がUEの位置情報をマクロ基地局に送るとき、目標セルのCGIは該位置情報において担持される。このようにして、目標基地局によって送られた目標セルのCGIを受信後、マクロ基地局は、同じPCIをもつ前記複数のセルから、目標セルのCGIに基づいて目標セルを判別しうる。
【００７９】
CGIがセル・グローバル識別情報であり、セルを一意的に特定できることを注意しておくべきである。目標セルのCGIを受信後、マクロ基地局は、前記複数のセルのうちから一意的な目標セルを判別しうる。
【００８０】
本発明のこの実施形態におけるセル・ハンドオーバー方法によれば、基地局が、ユーザー装置の位置を決定することに参加する。それにより、目標セルPCI混乱の場合、基地局は、ハンドオーバーを完了するために、ユーザー装置の位置情報に基づいて、同じPCIをもつ前記複数のセルのうちから目標セルを決定することができる。従来技術に比べて、セル・ハンドオーバーは遅延を増すことなく完了されることができる。
【００８１】
加えて、従来技術では、PCI混乱が起こるとき、基地局はCGIを読むためのUEのためのパラメータを構成する。これは、読みの失敗のリスクにつながり、ハンドオーバー失敗を引き起こすことがありうる。しかしながら、本発明のこの実施形態では、近傍の基地局（この場合、近傍の基地局は目標基地局である）が、UEの位置情報を検出後、UEの位置情報をサービスする基地局に報告し、それにより可能なCGIの読みの失敗によって引き起こされるハンドオーバー失敗を回避する。
【００８２】
シナリオ２。
【００８３】
図４は、本発明のもう一つの実施形態に基づくセル・ハンドオーバー方法の概略的な対話図である。図４に示されるように、本方法は下記の段階を含む。
【００８４】
３０１。マクロ基地局が、構成情報を制御ノードに送る。
【００８５】
本発明のこの実施形態において、制御ノードはアクセス・ゲートウェイ（AG）または仮想eNBでありうることを理解しておくべきである。これは本発明のこの実施形態において限定されない。
【００８６】
シナリオ１における記述と同様に、構成情報は制御ノードに事前に記憶されていてもよく、あるいは構成情報は、マクロ基地局がUEによって送られたハンドオーバー要求を受信した後に、マクロ基地局によって制御ノードに送られてもよく、あるいは、制御ノードに構成情報が事前に記憶されているが、マクロ基地局によって構成された構成情報が変更されるときにはマクロ基地局が再構成された構成情報を制御ノードに送る。
【００８７】
３０２。制御ノードは構成情報を各マイクロ基地局に送る。
【００８８】
構成情報は、UEがマクロ基地局にSRS信号を送るときに使われる時間‐周波数資源を示すために使われる。構成情報については、上記の記述が参照されてもよい。ここで再び詳細を述べることはしない。
【００８９】
本稿での「各マイクロ基地局」とはマクロ基地局に対応するマクロセルのカバレッジ・エリア内のすべてのマイクロ基地局を含むことを理解しておくべきである。換言すれば、「各マイクロ基地局」は、マクロセルのすべての近傍セルに対応する基地局を含む。
【００９０】
３０３。マイクロ基地局が、構成情報によって示される時間‐周波数資源上でSRS信号検出を実行する。
【００９１】
マイクロ基地局（目標マイクロ基地局を含む）は、マクロ基地局のSRS時間スロットにおいてSRS信号検出を実行する。SRS信号が受信される場合、そのことは「UEが接近中である」ことを示す。SRS信号が受信されない場合、そのことは、「UEが去った」または「UEはまだ遠い」ことを示す。
【００９２】
３０４。制御ノードは、目標マイクロ基地局によって送られたUEの位置情報を受信する。
【００９３】
任意的に、目標マイクロ基地局は、UEの位置情報をマクロ基地局に送ってもよく、マクロ基地局がUEの位置情報を制御ノードに転送する。図４では、目標マイクロ基地局がUEの位置情報を直接、制御ノードに送る例のみを使って記述が提供されている。本発明のこの実施形態はそれへの限定を設定するものではない。
【００９４】
３０５。マクロ基地局はUEによって送られた測定報告を受信し、該測定報告は目標セルのPCIを担持する。
【００９５】
マクロ基地局が段階３０５においてUEによって送られた測定報告を受信する前に、マクロ基地局はハンドオーバー測定命令をUEに送って、近傍セル測定を実行するようUEに命令する必要があることを理解しておくべきである。近傍セル測定を実行後、UEは測定報告をマクロ基地局に送り、該測定報告は目標セルのPCIを担持する。
【００９６】
UEは測定報告をマクロ基地局に定期的にまたはイベントに基づいて送りうることを注意しておくべきである。報告プロセスは、従来技術におけるものと同様であり、詳細は本稿では述べない。
【００９７】
３０６。マクロ基地局は目標セルのPCIを制御ノードに送る。
【００９８】
段階３０４と同様に、図４では、マクロ基地局がUEによって報告された目標セルのPCIを受信後にPCIを制御ノードに送る例のみを使って記述が提供されている。明らかに、UEは代替的に、目標セルのPCIを制御ノードに直接、送ってもよい。
【００９９】
３０７。制御ノードは、目標マイクロ基地局によって送られたUEの位置情報および目標セルのPCIに基づいて、目標セルを判別する。
【０１００】
制御ノードはまずPCIに対応する複数のセル（目標セルを含む）を判別し、次いで、該複数のセルから、UEの位置情報を参照して、UEが接近しつつあるセルを目標セルとして判別する。
【０１０１】
目標セルを判別した後、制御ノードは、ハンドオーバー命令を目標セルに送ってセル・ハンドオーバーを完了する。
【０１０２】
図３および図４におけるマクロ基地局は、本発明の実施形態に基づく第一基地局の例であることを理解しておくべきである。目標マイクロ基地局は、本発明の実施形態における目標第二基地局の例である。対応して、マクロセルは第一セルの例であり、複数のマイクロ基地局に対応する複数のセルは本発明の実施形態に基づく複数の第二セルの例である。
【０１０３】
上記はシナリオ１およびシナリオ２を、本発明のこの実施形態におけるセル・ハンドオーバー方法を記述するための例として使っているだけであることを注意しておくべきである。これは、本発明の実施形態の保護範囲に対するいかなる限定としても解釈されるべきではない。本発明のこの実施形態におけるセル・ハンドオーバーの、他の適用シナリオにおける適用も、本発明の実施形態の保護範囲内にはいる。
【０１０４】
本発明のこの実施形態におけるセル・ハンドオーバー方法によれば、基地局は、追加的な信号交換なしに、ユーザー装置の位置を判別することによって、同じPCIをもつ複数のセルのうちから目標セルを正しく判別することができる。よって、PCI混乱が起こるとき、セル・ハンドオーバーが遅延を増すことなく完了されることができる。
【０１０５】
上記は、図１ないし図４を参照して本発明の実施形態におけるセル・ハンドオーバー方法を詳述している。下記は、図５ないし図７を参照して本発明の実施形態におけるセル・ハンドオーバーのために使われる基地局および制御ノードを記述する。
【０１０６】
図５は、本発明のある実施形態に基づく基地局４００の概略図である。図５に示されるように、基地局４００は：
UEによって送られたハンドオーバー要求を受信するよう構成された受信ユニット４１０であって、前記ハンドオーバー要求は前記UEが前記少なくとも二つの第二セルのうちの目標第二セルにハンドオーバーされることを要求することを示すために使われ、前記ハンドオーバー要求は前記目標第二セルの物理セル識別子PCIを担持する、受信ユニットと；
前記PCIが複数の第二セルに対応していることを判別するよう構成された処理ユニット４２０とを含み、
前記受信ユニット４１０はさらに、少なくとも二つの第二基地局のうちの前記目標第二セルに対応する目標第二基地局によって送られた前記UEの位置情報を受信するよう構成されており、前記位置情報は前記目標第二基地局によって、前記構成情報に基づいて取得され；
前記処理ユニット４２０はさらに、前記位置情報に基づいて前記複数の第二セルのうちから前記目標第二セルを判別するよう構成されている。
【０１０７】
本発明のこの実施形態における基地局４００におけるユニットの上記およびその他の動作または機能は、本発明の実施形態におけるセル・ハンドオーバー方法における第一基地局によって実行される対応する手順を実装するために使われる。簡潔のため、ここで再び詳細を述べることはしない。
【０１０８】
したがって、本発明のこの実施形態におけるセル・ハンドオーバー方法によれば、PCI混乱が起こるとき、目標第二基地局がユーザー装置の位置を判別し、ユーザー装置の位置情報を第一基地局に送り、それにより第一基地局は目標セルを正しく判別できる。追加的な信号交換が必要とされないので、セル・ハンドオーバーは、遅延を増すことなく実施できる。
【０１０９】
図６は、本発明のある実施形態に基づく基地局５００の概略図である。図６に示されるように、基地局５００は：
構成情報に基づいてUEの位置情報を取得するよう構成された取得ユニット５１０と；
前記位置情報を第一基地局に送るよう構成された送信ユニット５２０とを含み、前記UEによって送られたハンドオーバー要求を受信後に前記第一基地局が、前記ハンドオーバー要求において担持される目標第二セルの物理セル識別子PCIに対応する複数の第二セルから、前記位置情報に基づいて、前記UEがハンドオーバーされる必要のある目標第二セルを判別し、前記基地局は、前記目標第二セルに対応する、少なくとも二つの基地局のうちの基地局である。
【０１１０】
本発明のこの実施形態における基地局５００におけるユニットの上記およびその他の動作または機能は、本発明の実施形態において目標第二基地局によって実行される対応する手順を実装するために使われる。簡潔のため、ここで再び詳細を述べることはしない。
【０１１１】
したがって、本発明のこの実施形態におけるセル・ハンドオーバー方法によれば、PCI混乱が起こるとき、目標第二基地局がユーザー装置の位置を判別し、ユーザー装置の位置情報を第一基地局に送り、それにより第一基地局は目標セルを正しく判別できる。追加的な信号交換が必要とされないので、セル・ハンドオーバーは、遅延を増すことなく実施できる。
【０１１２】
図７は、本発明のある実施形態に基づく制御ノード６００の概略図である。図７に示されるように、制御ノード６００は：
ハンドオーバー要求を取得するよう構成された取得ユニット６１０であって、前記ハンドオーバー要求は、UEが少なくとも二つの第二セルのうちの目標第二セルにハンドオーバーされることを要求することを示すために使われ、前記ハンドオーバー要求は前記目標第二セルの物理セル識別子PCIを担持する、取得ユニットと；
前記PCIが複数の第二セルに対応していることを判別するよう構成された処理ユニット６２０とを含み、
前記取得ユニット６１０はさらに、前記UEの位置情報を取得するよう構成されており；
前記処理ユニット６２０はさらに、前記複数の第二セルのうちから前記目標第二セルを、前記位置情報に基づいて決定するよう構成されている。
【０１１３】
本発明のこの実施形態における制御ノード６００におけるユニットの上記およびその他の動作または機能は、本発明の実施形態において制御ノードによって実行される対応する手順を実装するために使われる。簡潔のため、ここで再び詳細を述べることはしない。
【０１１４】
したがって、本発明のこの実施形態におけるセル・ハンドオーバー方法によれば、PCI混乱が起こるとき、目標第二基地局がユーザー装置の位置を判別し、ユーザー装置の位置情報を制御ノードに送り、それにより制御ノードは目標セルを正しく判別できる。追加的な信号交換が必要とされないので、セル・ハンドオーバーは、遅延を増すことなく実施できる。
【０１１５】
上記は、図５ないし図７を参照して本発明の実施形態におけるセル・ハンドオーバー方法を詳述している。下記は、図８ないし図１０を参照して本発明の実施形態における基地局および制御ノードを記述する。
【０１１６】
図８は、本発明のある実施形態に基づく基地局７００の概略的な構造図である。基地局７００は、少なくとも二つの第二基地局およびユーザー装置UEを含む通信システムにおいて構成され、当該基地局は第一セルに対応し、前記第一セルはUEのサービスするセルであり、前記少なくとも二つの第二基地局は少なくとも二つの第二セルに対応し、前記少なくとも二つの第二セルは前記第一セルの近傍セルであり、前記少なくとも二つの第二セルは少なくとも二つのセル・グローバル識別情報CGIと一対一対応にあり、各CGIは当該通信システムにおいて対応する第二セルを一意的に識別するために使われ、各第二基地局は構成情報を記憶しており、前記構成情報は、UEが当該基地局に測量参照信号SRSを送るときに使われる時間‐周波数資源を示すために使われる。図８に示されるように、基地局７００は、受信器７１０と、送信器７２０と、プロセッサ７３０と、メモリ７４０と、バス・システム７５０とを含む。前記受信器７１０、前記送信器７２０、前記プロセッサ７３０および前記メモリ７４０は前記バス・システム７５０を使って接続されている。前記メモリ７４０は命令を記憶するよう構成されており、前記プロセッサ７３０は前記メモリ７４０に記憶された命令を実行して、信号を受信するよう前記受信器７１０を制御し、信号を送るよう前記送信器７２０を制御するよう構成されている。
【０１１７】
受信器７１０は、前記UEによって送られたハンドオーバー要求を受信するよう構成されており、前記ハンドオーバー要求は前記UEが前記少なくとも二つの第二セルのうちの目標第二セルにハンドオーバーされることを要求することを示すために使われ、前記ハンドオーバー要求は前記目標第二セルの物理セル識別子PCIを担持する。
【０１１８】
プロセッサ７３０は、前記PCIが複数の第二セルに対応していることを判別するよう構成される。
【０１１９】
受信器７１０はさらに、前記少なくとも二つの第二基地局のうちの前記目標第二セルに対応する目標第二基地局によって送られた前記UEの位置情報を受信するよう構成される。前記位置情報は前記目標第二基地局によって、前記構成情報に基づいて取得される。
【０１２０】
プロセッサ７３０はさらに、前記位置情報に基づいて前記複数の第二セルのうちから前記目標第二セルを判別するよう構成される。
【０１２１】
本発明のこの実施形態において、プロセッサ７３０は中央処理ユニット（CPU）であってもよく、あるいはプロセッサ７３０は別の汎用プロセッサ、デジタル信号プロセッサ（DSP）、特定用途向け集積回路（ASIC）、フィールドプログラマブルゲートアレイ（FPGA）または別のプログラム可能な論理デバイス、離散的ゲートもしくはトランジスタ論理デバイス、離散的なハードウェア・コンポーネントなどであってもよい。汎用プロセッサはマイクロプロセッサであってもよく、あるいはプロセッサはいかなる通常のプロセッサなどであってもよい。
【０１２２】
メモリ７４０は読み出し専用メモリおよびランダムアクセスメモリを含んでいてもよく、命令およびデータをプロセッサ８３０に提供してもよい。メモリ７４０の一部はさらに、不揮発性ランダムアクセスメモリを含んでいてもよい。たとえば、メモリ７４０は、デバイスの型の情報をさらに記憶していてもよい。
【０１２３】
データ・バスに加えて、バス・システム７５０は、電力バス、制御バス、状態信号バスなどを含んでいてもよい。しかしながら、明瞭な記述のため、さまざまなバスは図ではバス・システム７５０としてマークされている。
【０１２４】
実装の際は、上記の方法の段階は、プロセッサ７３０におけるハードウェアの集積論理回路を使って、あるいはソフトウェアの形の命令を使って実装されてもよい。本発明の実施形態を参照して開示されたセル・ハンドオーバー方法の段階は、ハードウェア・プロセッサを使って直接実行されてもよく、あるいは前記プロセッサにおけるハードウェアとソフトウェア・モジュールとの組み合わせを使って実行されてもよい。ソフトウェア・モジュールは、ランダムアクセスメモリ、フラッシュメモリ、読み出し専用メモリ、プログラム可能型読み出し専用メモリまたは電気的に消去可能なプログラム可能型メモリまたはレジスタといった当技術分野において成熟した記憶媒体に位置されていてもよい。記憶媒体はメモリ７４０に位置される。プロセッサ７３０はメモリ７４０における情報を読み、プロセッサのハードウェアとの組み合わせにおいて上記の方法の段階を実行する。反復を避けるために、ここで再び詳細を述べることはしない。
【０１２５】
本発明のこの実施形態における基地局７００におけるユニットの上記およびその他の動作または機能は、本発明の実施形態において第一基地局によって実行される対応する手順を実装するために使われる。簡潔のため、ここで再び詳細を述べることはしない。
【０１２６】
したがって、PCI混乱が起こるとき、本発明のこの実施形態における基地局が目標第二基地局によって送られたユーザー装置の位置情報を受信し、目標セルを正しく判別できる。追加的な信号交換が必要とされないので、セル・ハンドオーバーは、遅延を増すことなく実施できる。
【０１２７】
図９は、本発明のある実施形態に基づく基地局８００の概略的な構造図である。基地局８００は、第一基地局、少なくとも二つの基地局およびユーザー装置UEを含む通信システムにおいて構成され、前記第一基地局は第一セルに対応し、前記第一セルはUEのサービスするセルであり、前記少なくとも二つの基地局は少なくとも二つの第二セルに対応し、前記少なくとも二つの第二セルは前記第一セルの近傍セルであり、前記少なくとも二つの第二セルは少なくとも二つのセル・グローバル識別情報CGIと一対一対応にあり、各CGIは当該通信システムにおいて対応する第二セルを一意的に識別するために使われ、各第二基地局は構成情報を記憶しており、前記構成情報は、UEが前記第一基地局に測量参照信号SRSを送るときに使われる時間‐周波数資源を示すために使われる。図９に示されるように、基地局８００は、受信器８１０と、送信器８２０と、プロセッサ８３０と、メモリ８４０と、バス・システム８５０とを含む。前記受信器８１０、前記送信器８２０、前記プロセッサ８３０および前記メモリ８４０は前記バス・システム８５０を使って接続されている。前記メモリ８４０は命令を記憶するよう構成されており、前記プロセッサ８３０は前記メモリ８４０に記憶された命令を実行して、信号を受信するよう前記受信器８１０を制御し、信号を送るよう前記送信器８２０を制御するよう構成されている。
【０１２８】
プロセッサ８３０は、前記構成情報に基づいてUEの位置情報を取得するよう構成されている。
【０１２９】
送信器８２０は、前記位置情報を前記第一基地局に送るよう構成されており、UEによって送られたハンドオーバー要求を受信後に前記第一基地局が、前記ハンドオーバー要求において担持される目標第二セルの物理セル識別子PCIに対応する複数の第二セルから、前記位置情報に基づいて、UEがハンドオーバーされる必要のある目標第二セルを判別し、前記目標第二セルは前記少なくとも二つの第二基地局のうちの、前記目標第二セルに対応する基地局である。
【０１３０】
本発明のこの実施形態において、プロセッサ８３０は中央処理ユニット（CPU）であってもよく、あるいはプロセッサ８３０は別の汎用プロセッサ、デジタル信号プロセッサ（DSP）、特定用途向け集積回路（ASIC）、フィールドプログラマブルゲートアレイ（FPGA）または別のプログラム可能な論理デバイス、離散的ゲートもしくはトランジスタ論理デバイス、離散的なハードウェア・コンポーネントなどであってもよい。汎用プロセッサはマイクロプロセッサであってもよく、あるいはプロセッサはいかなる通常のプロセッサなどであってもよい。
【０１３１】
メモリ８４０は読み出し専用メモリおよびランダムアクセスメモリを含んでいてもよく、命令およびデータをプロセッサ８３０に提供してもよい。メモリ８４０の一部はさらに、不揮発性ランダムアクセスメモリを含んでいてもよい。たとえば、メモリ８４０は、デバイスの型の情報をさらに記憶していてもよい。
【０１３２】
データ・バスに加えて、バス・システム８５０は、電力バス、制御バス、状態信号バスなどを含んでいてもよい。しかしながら、明瞭な記述のため、さまざまなバスは図ではバス・システム８５０としてマークされている。
【０１３３】
実装の際は、上記の方法の段階は、プロセッサ８３０におけるハードウェアの集積論理回路を使って、あるいはソフトウェアの形の命令を使って実装されてもよい。本発明の実施形態を参照して開示されたセル・ハンドオーバー方法の段階は、ハードウェア・プロセッサを使って直接実行されてもよく、あるいは前記プロセッサにおけるハードウェアとソフトウェア・モジュールとの組み合わせを使って実行されてもよい。ソフトウェア・モジュールは、ランダムアクセスメモリ、フラッシュメモリ、読み出し専用メモリ、プログラム可能型読み出し専用メモリまたは電気的に消去可能なプログラム可能型メモリまたはレジスタといった当技術分野において成熟した記憶媒体に位置されていてもよい。記憶媒体はメモリ８４０に位置される。プロセッサ８３０はメモリ８４０における情報を読み、プロセッサのハードウェアとの組み合わせにおいて上記の方法の段階を実行する。反復を避けるために、ここで再び詳細を述べることはしない。
【０１３４】
本発明のこの実施形態における基地局８００におけるユニットの上記およびその他の動作または機能は、本発明の実施形態において目標第二基地局によって実行される対応する手順を実装するために使われる。簡潔のため、ここで再び詳細を述べることはしない。
【０１３５】
したがって、PCI混乱が起こるとき、本発明のこの実施形態における基地局がユーザー装置の位置を判別し、ユーザー装置の位置情報を第一基地局に送る。それにより、第一基地局は目標セルを正しく判別できる。追加的な信号交換が必要とされないので、セル・ハンドオーバーは、遅延を増すことなく実施できる。
【０１３６】
図１０は、本発明のある実施形態に基づく制御ノード９００の概略的な構造図である。制御ノード９００は、第一基地局、少なくとも二つの基地局およびユーザー装置UEを含む通信システムにおいて構成され、前記第一基地局は第一セルに対応し、前記第一セルはUEのサービスするセルであり、前記少なくとも二つの基地局は少なくとも二つの第二セルに対応し、前記少なくとも二つの第二セルは前記第一セルの近傍セルであり、前記少なくとも二つの第二セルは少なくとも二つのセル・グローバル識別情報CGIと一対一対応にあり、各CGIは当該通信システムにおいて対応する第二セルを一意的に識別するために使われ、各第二基地局は構成情報を記憶しており、前記構成情報は、UEが前記第一基地局に測量参照信号SRSを送るときに使われる時間‐周波数資源を示すために使われる。図１０に示されるように、制御ノード９００は、受信器９１０と、送信器９２０と、プロセッサ９３０と、メモリ９４０と、バス・システム９５０とを含む。前記受信器９１０、前記送信器９２０、前記プロセッサ９３０および前記メモリ９４０は前記バス・システム９５０を使って接続されている。前記メモリ９４０は命令を記憶するよう構成されており、前記プロセッサ９３０は前記メモリ９４０に記憶された命令を実行して、信号を受信するよう前記受信器９１０を制御し、信号を送るよう前記送信器９２０を制御するよう構成されている。受信器９１０は、ハンドオーバー要求を受信するよう構成されており、前記ハンドオーバー要求は、前記UEが前記少なくとも二つの第二セルのうちの目標第二セルにハンドオーバーされることを要求することを示すために使われ、前記ハンドオーバー要求は前記目標第二セルの物理セル識別子PCIを担持する。
【０１３７】
プロセッサ９３０は、前記PCIが複数の第二セルに対応していることを判別するよう構成される。
【０１３８】
受信器９１０はさらに、前記UEの位置情報を受信するよう構成される。
【０１３９】
プロセッサ９３０はさらに、前記複数の第二セルのうちから前記目標第二セルを、前記位置情報に基づいて決定するよう構成される。
【０１４０】
本発明のこの実施形態において、プロセッサ９３０は中央処理ユニット（CPU）であってもよく、あるいはプロセッサ９３０は別の汎用プロセッサ、デジタル信号プロセッサ（DSP）、特定用途向け集積回路（ASIC）、フィールドプログラマブルゲートアレイ（FPGA）または別のプログラム可能な論理デバイス、離散的ゲートもしくはトランジスタ論理デバイス、離散的なハードウェア・コンポーネントなどであってもよい。汎用プロセッサはマイクロプロセッサであってもよく、あるいはプロセッサはいかなる通常のプロセッサなどであってもよい。
【０１４１】
メモリ９４０は読み出し専用メモリおよびランダムアクセスメモリを含んでいてもよく、命令およびデータをプロセッサ９３０に提供してもよい。メモリ９４０の一部はさらに、不揮発性ランダムアクセスメモリを含んでいてもよい。たとえば、メモリ９４０は、デバイスの型の情報をさらに記憶していてもよい。
【０１４２】
データ・バスに加えて、バス・システム９５０は、電力バス、制御バス、状態信号バスなどを含んでいてもよい。しかしながら、明瞭な記述のため、さまざまなバスは図ではバス・システム９５０としてマークされている。
【０１４３】
実装の際は、上記の方法の段階は、プロセッサ９３０におけるハードウェアの集積論理回路を使って、あるいはソフトウェアの形の命令を使って実装されてもよい。本発明の実施形態を参照して開示されたセル・ハンドオーバー方法の段階は、ハードウェア・プロセッサを使って直接実行されてもよく、あるいは前記プロセッサにおけるハードウェアとソフトウェア・モジュールとの組み合わせを使って実行されてもよい。ソフトウェア・モジュールは、ランダムアクセスメモリ、フラッシュメモリ、読み出し専用メモリ、プログラム可能型読み出し専用メモリまたは電気的に消去可能なプログラム可能型メモリまたはレジスタといった当技術分野において成熟した記憶媒体に位置されていてもよい。記憶媒体はメモリ９４０に位置される。プロセッサ９３０はメモリ９４０における情報を読み、プロセッサのハードウェアとの組み合わせにおいて上記の方法の段階を実行する。反復を避けるために、ここで再び詳細を述べることはしない。
【０１４４】
本発明のこの実施形態における制御ノード９００におけるユニットの上記およびその他の動作または機能は、本発明の実施形態におけるセル・ハンドオーバー方法において制御ノードによって実行される対応する手順を実装するために使われる。簡潔のため、ここで再び詳細を述べることはしない。
【０１４５】
したがって、PCI混乱が起こるとき、本発明のこの実施形態における制御ノードは、UEの位置情報を取得することによって目標セルを正しく判別できる。追加的な信号交換が必要とされないので、セル・ハンドオーバーは、遅延を増すことなく実施できる。
【０１４６】
上記のプロセスにおけるシーケンス番号が本発明のさまざまな実施形態における実行シーケンスを意味するものではないことを理解しておくべきである。諸プロセスの実行順序は、それらのプロセスの機能および内部論理に従って決定されるべきであり、本発明の実施形態の実装プロセスに対するいかなる限定としても解釈されるべきではない。
【０１４７】
当業者は、本明細書に開示される実施形態において記載される例との関連で、ユニットおよびアルゴリズム段階は電子的なハードウェア、コンピュータ・ソフトウェアまたはそれらの組み合わせによって実装されうることを認識しうる。ハードウェアとソフトウェアの間の交換可能性を明瞭に記述するために、上記は一般に機能に基づくそれぞれの例の組成および段階を記述してきた。それらの機能がハードウェアまたはソフトウェアのどちらによって実行されるかは、技術的解決策の具体的な用途および設計上の制約条件に依存する。当業者は、それぞれの具体的な応用のために記載される機能を実装するために種々の方法を使いうるが、かかる実装が本発明の範囲を超えるものであると考えられるべきではない。
【０１４８】
簡便な記載のために、上記のシステム、装置およびユニットの詳細な作動プロセスについては、上記の方法実施形態における対応するプロセスが参照されてもよく、詳細が再び本稿に記載されていないことが、当業者によって明瞭に理解されうる。
【０１４９】
本願で提供されるいくつかの実施形態において、開示されるシステム、装置および方法が他の仕方で実装されてもよいことを理解しておくべきである。たとえば、記載される装置実施形態は単に例である。たとえば、ユニット分割は単に論理的な機能の分割であり、実際の実装では他の分割であってもよい。たとえば、複数のユニットまたはコンポーネントが組み合わされ、あるいは別のシステムに統合されてもよく、いくつかの特徴が無視され、あるいは実行されなくてもよい。さらに、表示されるまたは論じられる結合または直接結合または通信接続は、いくつかのインターフェースを通じて実装されてもよく、装置またはユニット間の間接的な結合もしくは通信接続であってもよく、あるいは電気接続、機械的接続または他の形の接続であってもよい。
【０１５０】
別個の部分として記述されているユニットは、物理的に別個であってもなくてもよく、ユニットとして表示されている部分は物理的な単位であってもなくてもよく、一つの位置に位置していてもよく、あるいは複数のネットワーク・ユニット上に分散されていてもよい。ユニットの一部または全部は、本発明の実施形態の解決策の目的を達成する実際の必要性に従って選択されうる。
【０１５１】
さらに、本発明の実施形態における機能ユニットは、一つの処理ユニットに統合されてもよく、あるいはユニットのそれぞれは物理的に単独で存在してもよく、あるいは二つ以上のユニットが一つのユニットに統合されてもよい。統合されたユニットはハードウェアの形で実装されてもよく、あるいはソフトウェア機能ユニットの形で実装されてもよい。
【０１５２】
統合されたユニットがソフトウェア機能ユニットの形で実装され、独立したプロダクトとして販売または使用されるとき、統合されたユニットはコンピュータ可読記憶媒体に記憶されてもよい。そのような理解に基づき、本発明の技術的解決策は本質的に、または該技術的解決策の従来技術に寄与する部分もしくは全部または一部は、ソフトウェア・プロダクトの形で実装されてもよい。ソフトウェア・プロダクトは記憶媒体に記憶され、本発明の実施形態において記載される方法の段階の全部または一部を実行するようコンピュータ装置（これはパーソナル・コンピュータ、サーバー、ネットワーク装置などであってもよい）に命令するためのいくつかの命令を含む。上記の記憶媒体は：USBフラッシュドライブ、リムーバブルハードディスク、読み出し専用メモリ（ROM）、ランダムアクセスメモリ（RAM）、磁気ディスクまたは光ディスクのような、プログラム・コードを記憶することのできる任意の媒体を含む。
【０１５３】
上記の記述は本発明の単に具体的な実施形態であり、本発明の保護範囲を限定することは意図されていない。本発明において開示された技術的範囲内で当業者によって容易に割り出されるいかなる修正または置換も、本発明の保護範囲にはいる。したがって、本発明の保護範囲は請求項の保護範囲に従う。
【国際調査報告】
2019519985.tif 000013
2019519985.tif 000014
2019519985.tif 000015
2019519985.tif 000016